(57)【特許請求の範囲】
【請求項１】
ヘッドホンであって、
振動板を有するドライバユニットと、
前記ドライバユニットを収容し、前記ドライバユニットの前記振動板が設けられる前面側に音声出力用の開口部以外が外部と空間的に遮断された密閉型の前面空気室を形成するとともに、前記前面側の逆側である背面側に所定の容量を有する背面空気室を形成するハウジングと、
前記背面空気室を構成する前記ハウジングの隔壁の一部領域に設けられ、前記背面空気室と前記ハウジングの外部とを管を介して空間的に接続する音響管と、
前記音響管の特性を変化させることにより前記ヘッドホンの音響特性を調整する音響特性調整機構と、
を備え、
前記音響特性調整機構は、前記音響管に挿抜されるボスを有するスイッチ部材によって構成され、
前記スイッチ部材の平行移動により、前記ボスが前記音響管に挿抜され、前記音響管における通気が調整されることにより、前記ヘッドホンの音響特性を調整する、
ヘッドホン。
【請求項２】
前記ヘッドホンの音響等価回路において、少なくとも前記背面空気室の容量成分に対応する音響容量と、前記音響管のインダクタンス成分に対応する音響インダクタンスと、によって、所定の共振周波数において反共振を生じさせる並列共振回路が形成される、
請求項１に記載のヘッドホン。
【請求項３】
前記音響容量は、前記ドライバユニットのフレームと前記振動板との間に形成されるドライバユニット背面空気室の容量成分を更に含む、
請求項２に記載のヘッドホン。
【請求項４】
前記共振周波数は、前記音響インダクタンスの値及び前記音響容量の値に少なくとも基づいて決定される、
請求項２に記載のヘッドホン。
【請求項５】
前記ドライバユニットのフレームには、当該フレームと前記振動板との間に形成されるドライバユニット背面空気室と、前記背面空気室と、を空間的に接続する通気孔が設けられ、
前記通気孔には、前記ヘッドホンの音響等価回路において抵抗として振る舞う通気抵抗体が設けられ、
所定の周波数帯域における前記ヘッドホンの音圧感度は、前記音響等価回路における前記通気抵抗体の抵抗成分に対応する音響抵抗の値に少なくとも基づいて決定される、
請求項１に記載のヘッドホン。
【請求項６】
所定の周波数帯域における前記ヘッドホンの音圧感度は、少なくとも前記背面空気室の容量成分に対応する音響容量の値と、前記音響等価回路における前記音響管のインダクタンス成分に対応する音響管インダクタンスの値と、前記音響抵抗の値と、に少なくとも基づいて決定される、
請求項５に記載のヘッドホン。
【請求項７】
前記背面空気室は、前記音響管における通気以外が外部と空間的に遮断される、
請求項１に記載のヘッドホン。
【請求項８】
前記音響インダクタンスの値は、前記音響管の長さ及び内断面積に応じて決定され、
前記音響管の長さ及び内断面積は、前記共振周波数が３５０（Ｈｚ）〜６５０（Ｈｚ）の間の値になるように設定される、
請求項４に記載のヘッドホン。
【請求項９】
前記音響管において、前記長さの前記内断面積に対する比率は、１３（１／ｍｍ）〜４５（１／ｍｍ）である、
請求項８に記載のヘッドホン。
【請求項１０】
前記ハウジングと前記音響管とは一体的に形成される、
請求項１に記載のヘッドホン。
【請求項１１】
前記ハウジングの前記背面空気室を構成する隔壁の一部領域には、前記背面空気室と前記ハウジングの外部とを空間的に接続する開口部が設けられ、
前記音響管は、管状の部材が当該開口部に接続されることにより構成される、
請求項１に記載のヘッドホン。
【請求項１２】
前記ドライバユニットはダイナミック型ドライバユニットである、
請求項１に記載のヘッドホン。
【請求項１３】
前記ハウジングの前記前面空気室を構成する領域の一部位には、外部に向かって突出する管状の部位である音導管が形成され、
前記音声出力用の開口部は、前記音導管の先端部に設けられ、
前記ヘッドホンは、前記音導管の先端部分がユーザの外耳道に挿入されるカナル型イヤホンである、
請求項１に記載のヘッドホン。
【請求項１４】
前記ヘッドホンは、前記ドライバユニットを収容する前記ハウジングを１対備え、
１対の前記ハウジングはアーチ状に湾曲された支持部材によって互いに連結され、
前記ヘッドホンは、前記ハウジングの前記音声出力用の開口部がユーザの耳と対向するように、前記支持部材によってユーザの頭部に装着される、オーバーヘッド型ヘッドホンである、
請求項１に記載のヘッドホン。
【請求項１５】
前記音響管の、少なくとも一部領域は、弾性体によって形成され、
前記ボスが、前記音響管の前記弾性体からなる領域に圧入されることにより、前記音響管における通気が妨げられる、
請求項１に記載のヘッドホン。
【請求項１６】
前記ボスの長手方向における一部領域には、径方向に突出する第１の突出部が形成され、
前記音響管の内壁の長手方向における一部領域には、径方向に突出する第２の突出部が形成され、
前記ボスが前記音響管に挿抜される際には、前記第１の突出部と前記第２の突出部とが係合し擦れ合う、
請求項１に記載のヘッドホン。
【請求項１７】
ヘッドホンの音響特性調整方法であって、
振動板を有するドライバユニットをハウジング内に収容し、前記ハウジングと前記ドライバユニットの前記振動板が設けられる前面側との間に音声出力用の開口部以外が外部と空間的に遮断された密閉型の前面空気室を形成するとともに、前記前面側の逆側である背面側に所定の容量を有する背面空気室を形成することと、
前記背面空気室を構成する前記ハウジングの隔壁の一部領域に設けられ、前記背面空気室と前記ハウジングの外部とを管を介して空間的に接続する音響管を設けることと、
前記音響管の特性を変化させることにより前記ヘッドホンの音響特性を調整することと、
を含み、
前記音響管に挿抜されるボスを有するスイッチ部材の平行移動により、前記ボスが前記音響管に挿抜され、前記音響管における通気が調整されることにより、前記ヘッドホンの音響特性を調整する、
音響特性調整方法。
【発明の詳細な説明】
【技術分野】
【０００１】
本開示は、ヘッドホン及び音響特性調整方法に関する。
【背景技術】
【０００２】
一般的に、ヘッドホンにおいては、ハウジング内に配置されるドライバユニットが音声信号に応じて振動板を駆動することにより、空気を振動させ、音声を発生させる。ここで、ヘッドホンの音響特性はハウジングの構造に依存することが知られている。具体的には、ハウジング内に設けられる空間の容積やハウジング内に形成される空気の通り道となり得る通気孔の大きさ、ハウジングの隔壁に形成されハウジングの内部と外部との空気の通り道となり得る開口部の大きさ等に応じて、ヘッドホンの音響特性が変化し得る。従って、音響特性を向上させるために、ハウジングの構造に関して多くの技術が提案されている。【０００３】
例えば、特許文献１には、ハウジングの、ドライバユニットの振動板が設けられる側とは逆側である背面側に、ハウジングの内部と外部とを空間的に接続する管状のダクト部を設けることにより、音響特性を向上させる技術が開示されている。
【先行技術文献】
【特許文献】
【０００４】
【特許文献１】特開平４−２２７３９６号公報
【発明の概要】
【発明が解決しようとする課題】
【０００５】
しかしながら、例えば低音域の音声の出力を強調したい等、音響特性への要求はヘッドホンの用途に応じて異なる。従って、ヘッドホンに対して上記特許文献１に記載の技術を適用することにより、必ずしも所望の音響特性が得られるとは限らない。【０００６】
そこで、本開示では、音響特性をより向上させることが可能な、新規かつ改良されたヘッドホン及び音響特性調整方法を提案する。
【課題を解決するための手段】
【０００７】
本開示によれば、振動板を有するドライバユニットと、前記ドライバユニットを収容し、前記ドライバユニットの前記振動板が設けられる前面側に音声出力用の開口部以外が外部と空間的に遮断された密閉型の前面空気室を形成するとともに、前記前面側の逆側である背面側に所定の容量を有する背面空気室を形成するハウジングと、前記背面空気室を構成する前記ハウジングの隔壁の一部領域に設けられ、前記背面空気室と前記ハウジングの外部とを管を介して空間的に接続する音響管と、を備える、ヘッドホンが提供される。【０００８】
また、本開示によれば、振動板を有するドライバユニットをハウジング内に収容し、前記ハウジングと前記ドライバユニットの前記振動板が設けられる前面側との間に音声出力用の開口部以外が外部と空間的に遮断された密閉型の前面空気室を形成するとともに、前記前面側の逆側である背面側に所定の容量を有する背面空気室を形成することと、前記背面空気室を構成する前記ハウジングの隔壁の一部領域に設けられ、前記背面空気室と前記ハウジングの外部とを管を介して空間的に接続する音響管を設けることと、を含む、音響特性調整方法が提供される。【０００９】
本開示によれば、ハウジング内の背面空気室とハウジングの外部とを管を介して空間的に接続する音響管が設けられることにより、音響等価回路において、少なくとも背面空気室の容積に対応する容量と、音響管における空気の流動に対するインダクタンス成分に対応するインダクタンスとによる並列共振回路が形成される。従って、当該並列共振回路における反共振を利用した音圧感度特性の調整が可能となる。音圧感度特性を調整するためのパラメータが増加するため、所望の音圧感度特性がより実現されやすく、音響特性をより向上させることが可能となる。
【発明の効果】
【００１０】
以上説明したように本開示によれば、音響特性をより向上させることが可能となる。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１１】
【図１】本開示の一実施形態に係るヘッドホンの概略構成を示す模式図である。
【図２】図１に示すヘッドホンの音響等価回路を示す図である。
【図３】本実施形態に係るヘッドホンの音圧感度特性を定性的に示すグラフ図である。
【図４Ａ】本実施形態に係るヘッドホンの外観を示す６面図である。
【図４Ｂ】本実施形態に係るヘッドホンの外観を示す６面図である。
【図４Ｃ】本実施形態に係るヘッドホンの外観を示す６面図である。
【図４Ｄ】本実施形態に係るヘッドホンの外観を示す６面図である。
【図４Ｅ】本実施形態に係るヘッドホンの外観を示す６面図である。
【図４Ｆ】本実施形態に係るヘッドホンの外観を示す６面図である。
【図５】本実施形態に係るヘッドホンのユーザへの装着例を示す説明図である。
【図６】本実施形態に係るヘッドホンの構成を示す断面図である。
【図７】本実施形態に係るヘッドホンの構成を示す分解斜視図である。
【図８Ａ】本実施形態に係るヘッドホンにおいて、音響管の形状が変更された変形例の構成を示す分解斜視図である。
【図８Ｂ】本実施形態に係るヘッドホンにおいて、ケーブル用ハウジングの内部空間内でのケーブルの引き回し方が変更された変形例の構成を示す分解斜視図である。
【図８Ｃ】本実施形態に係るヘッドホンにおいて、ケーブル用ハウジングの内部空間内でのケーブルの引き回し方が変更された変形例の構成を示す分解斜視図である。
【図９】本実施形態に係るヘッドホンの音圧感度特性を示すグラフ図である。
【図１０】本実施形態に係るヘッドホンの音圧感度特性において、音響抵抗Ｒｄの効果について説明するためのグラフ図である。
【図１１Ａ】本実施形態の一変形例に係るヘッドホンの外観を示す６面図である。
【図１１Ｂ】本実施形態の一変形例に係るヘッドホンの外観を示す６面図である。
【図１１Ｃ】本実施形態の一変形例に係るヘッドホンの外観を示す６面図である。
【図１１Ｄ】本実施形態の一変形例に係るヘッドホンの外観を示す６面図である。
【図１１Ｅ】本実施形態の一変形例に係るヘッドホンの外観を示す６面図である。
【図１１Ｆ】本実施形態の一変形例に係るヘッドホンの外観を示す６面図である。
【図１２Ａ】本変形例に係るヘッドホンの一断面における断面図である。
【図１２Ｂ】本変形例に係るヘッドホンの一断面における断面図である。
【図１３Ａ】本変形例に係るヘッドホンの他の断面における断面図である。
【図１３Ｂ】本変形例に係るヘッドホンの他の断面における断面図である。
【図１４】本変形例に係るヘッドホンの更に他の断面における断面図である。
【図１５】本変形例に係るヘッドホンに搭載されるスイッチ部材の構成を示す斜視図である。
【図１６】本変形例に係るヘッドホンの音圧感度特性を示すグラフ図である。
【図１７】音響管の長さ及び内径を変化させる機構を有する音響特性調整機構について説明するための説明図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．本開示の一実施形態の概要
２．本実施形態に係るヘッドホンの構成
３．本実施形態に係るヘッドホンの音響特性
４．音響管の設計方法
５．変形例
６．補足
【００１４】
（１．本開示の一実施形態の概要）
図１−図３を参照して、本開示の一実施形態の概要について説明する。まず、図１を参照して、本実施形態に係るヘッドホンの概略構成について説明する。次に、図２を参照して、本実施形態に係るヘッドホンの音響等価回路について説明する。更に、図３を参照して、本実施形態によって実現される音響特性について定性的に説明する。
【００１５】
まず、図１を参照して、本開示の一実施形態に係るヘッドホンの概略構成について説明する。図１は、本開示の一実施形態に係るヘッドホンの概略構成を示す模式図である。図１を参照すると、本実施形態に係るヘッドホン１０は、ドライバユニット１１０と、ドライバユニット１１０を内部に収容するハウジング１４０と、を備える。図１は、ヘッドホン１０の、ドライバユニット１１０の略中心を通る断面を示している。また、図１では、簡単のため、ヘッドホン１０の構成部材のうち、本実施形態における主要な構成部材のみを模式的に示している。また、図１では、ヘッドホン１０の構成部材と図２に示す音響等価回路の要素との対応を示すために、構成部材に付した符号の一部に音響等価回路における要素の記号を付記している。
【００１６】
ドライバユニット１１０は、フレーム１１１、振動板１１２、マグネット１１３、プレート１１４及びボイスコイル１１５を有する。フレーム１１１は略円板形状を有し、当該円板形状の一面側に、マグネット１１３、プレート１１４、ボイスコイル１１５及び振動板１１２が配設される。フレーム１１１は、その略中央部分に、マグネット１１３、プレート１１４、ボイスコイル１１５及び振動板１１２が設けられる側とは逆側に突出した突出部を有する。マグネット１１３、プレート１１４及びボイスコイル１１５は円筒形状を有し、当該突出部の内部に、フレーム１１１と略同心円状に配設される。マグネット１１３は、フレーム１１１とプレート１１４との間に挟持される。ボイスコイル１１５は、マグネット１１３及びプレート１１４の更に外周側に配設される。振動板１１２は、フレーム１１１の一面を覆うように設けられ、その一部領域がボイスコイル１１５に接続される。ボイスコイル１１５がマグネット１１３によって生じる磁界内で、例えばケーブル（図示せず。）等によって外部から供給される音声信号に応じて駆動されることにより、振動板１１２が厚さ方向に振動する。ここで、音声信号とは、音声の情報が重畳された電気信号であり、振動板１１２が音声信号に応じて振動することにより、周囲の空気に疎密が生じ、当該音声信号に対応する音声が発生する。
【００１７】
ここで、以下の説明では、ドライバユニット１１０の円板形状における中心軸方向をｚ軸方向と呼称する。また、ドライバユニット１１０から見て振動板１１２が設けられる側を前面側と呼称し、ｚ軸方向における前面側の方向をｚ軸の正方向又は前面方向と呼称する。また、前面側の逆側を背面側と呼称し、ｚ軸方向における背面側の方向をｚ軸の負方向又は背面方向と呼称する。また、ｚ軸方向と直交する平面内における互いに直交する２方向を、ｘ軸方向及びｙ軸方向と呼称する。
【００１８】
本実施形態においては、ボイスコイル１１５は円筒形状を有する。振動板１１２において、ボイスコイル１１５よりも内側に位置する領域はドーム部とも呼称され、ボイスコイル１１５よりも外側に位置する領域はエッジ部とも呼称される。同様に、フレーム１１１において、ボイスコイル１１５よりも内側に位置する領域（突出部に対応する領域）はドーム部とも呼称され、ボイスコイル１１５よりも外側に位置する領域（突出部の外周のフランジ部に対応する領域）はエッジ部とも呼称される。以下の説明では、便宜上、フレーム１１１と振動板１１２との間の空間（以下、ドライバユニット背面空気室１１８と呼称する。）についても、ボイスコイル１１５よりも内側に形成される空間をドーム部と呼称し、ボイスコイル１１５よりも外側に形成される空間をエッジ部と呼称することとする。
【００１９】
ドライバユニット１１０のフレーム１１１には、フレーム１１１をｚ軸方向に貫通する通気孔１１６が設けられており、ドライバユニット背面空気室１１８とドライバユニット１１０の背面側の空間であってドライバユニット１１０とハウジング１４０とで囲まれる空間（後述する背面空気室１３２）とが、通気孔１１６によって空間的に接続される。図１に示す例では、通気孔１１６は、フレーム１１１の略中心に形成されており、ドライバユニット背面空気室１１８のドーム部と背面空気室１３２とを空間的に接続する。
【００２０】
通気孔１１６には、その孔を塞ぐように通気抵抗体１１７が設けられる。通気抵抗体１１７は、例えば圧縮ウレタン、不織布等によって形成され、空気の流動に対して抵抗成分となって作用する。ただし、通気抵抗体１１７の材質はかかる例に限定されず、空気の流動に対して所定の抵抗を付与することができれば、他の材質が用いられてもよい。
【００２１】
ここで、本実施形態では、通気抵抗体１１７としては、空気の流動に対する抵抗が比較的小さいものが選択され得る。通気抵抗体１１７における空気の流動に対する抵抗が比較的小さいことにより、ドライバユニット背面空気室１１８と背面空気室１３２との間の空気の流動が比較的自由に行われることとなる。ただし、図２及び図３を参照して後述するように、音響等価回路４０において通気抵抗体１１７の抵抗成分に対応する抵抗Ｒｄは、ヘッドホン１０における音圧感度特性に関係している。また、下記（３．本実施形態に係るヘッドホンの音響特性）で説明するように、通気抵抗体１１７が設けられない場合（すなわち、抵抗Ｒｄがゼロである場合）には、ヘッドホン１０の音響特性は著しく変化する。従って、実際には、通気抵抗体１１７の材質等、通気抵抗に関する特性は、抵抗Ｒｄがヘッドホン１０の音響特性に及ぼす影響を考慮して適宜選択され得る。
【００２２】
なお、図１に示す例では、通気孔１１６はフレーム１１１のドーム部に対応する領域に設けられているが、フレーム１１１において通気孔１１６が設けられる位置はかかる例に限定されない。本実施形態では、通気孔１１６は、ドライバユニット背面空気室１１８と背面空気室１３２とを空間的に接続するように設けられればよい。例えば、通気孔１１６は、フレーム１１１の中心から所定の距離だけ径方向にずれた位置（すなわち、エッジ部）に形成されてもよい。また、通気孔１１６は、フレーム１１１における互いに異なる位置に複数設けられてもよい。図２を参照して後述するが、通気孔１１６に設けられる通気抵抗体１１７は、ヘッドホン１０の音響等価回路４０において、音響特性に作用する抵抗Ｒｄとして機能する。本実施形態では、フレーム１１１において通気孔１１６が設けられる位置は、通気孔１１６に設けられる通気抵抗体１１７が音響等価回路４０において同様の機能を有する位置であればよく、例えばハウジング１４０内の他の構成部材の配置位置等を考慮して適宜設定されてよい。
【００２３】
また、本実施形態に係るドライバユニット１１０は、いわゆるダイナミック型ドライバユニットであってよい。かかるドライバユニット１１０としては、既存の一般的なダイナミック型ドライバユニットが適用可能である。例えば、フレーム１１１、振動板１１２、マグネット１１３、プレート１１４及びボイスコイル１１５の配置位置やドライバユニット１１０の駆動方法には、一般的なダイナミック型ドライバユニットにおけるこれらの部材の配置位置や駆動方法が適用されてよい。ただし、本実施形態に係るドライバユニット１１０は、ダイナミック型ドライバユニットに限定されず、他の形式のドラバユニットであってもよい。例えば、ドライバユニット１１０は、いわゆるバランスドアーマチュア型ドライバユニット（ＢＡ型ドライバユニット）であってもよい。本実施形態では、ドライバユニット１１０がＢＡ型ドライバユニットである場合であっても、後述するダイナミック型ドライバユニットの場合と同様の効果を得ることができる。
【００２４】
ハウジング１４０は、内部にドライバユニット１１０を収容する。ドライバユニット１１０の前面側には、ドライバユニット１１０とハウジング１４０とによって囲まれる空間である前面空気室１２５が形成される。また、ドライバユニット１１０の背面側には、ドライバユニット１１０とハウジング１４０とによって囲まれる空間である背面空気室１３２が形成される。
【００２５】
ハウジング１４０は複数の部材によって構成されてよい。図１に示す例では、ハウジング１４０は、ドライバユニット１１０の前面側を覆うフロントハウジング１２０と、ドライバユニット１１０の背面側を覆うリアハウジング１３０とを接合することによって形成される。なお、本実施形態はかかる例に限定されず、ハウジング１４０は３つ以上の部材によって構成されてもよい。
【００２６】
フロントハウジング１２０の隔壁には、ハウジング１４０の内部と外部とを空間的に接続する開口部１２１、１２２が設けられる。開口部１２１は、音声を外部に出力するための音声出力用の開口部である。前面空気室１２５内の空気が開口部１２１を介して外部に音声として出力される。フロントハウジング１２０の一部領域には外部に向かって突設される管状の部位である音導管１２４が形成され、開口部１２１は音導管１２４の先端部分に設けられる。ユーザが音声を聴くときには、音導管１２４の先端部分がユーザの外耳道に挿入される。このように、本実施形態ではヘッドホン１０はいわゆるカナル型イヤホンであってよい。なお、音導管１２４の先端部分の外周には、音導管１２４をユーザの外耳道の内壁に密着させるためのイヤーピース（図示せず。）が設けられてもよい。また、音導管１２４の内部には、通気抵抗体であるイコライザー（図示せず。）が設けられてもよい。イコライザーの材質及び形状を適宜設定することにより、例えば特定の周波数帯域の音声の出力を低減させる等、音質の調整を行うことができる。
【００２７】
開口部１２２には、その孔を塞ぐように通気抵抗体１２３が設けられる。通気抵抗体１２３は、上述した通気抵抗体１１７と同様の機能を有する。ただし、本実施形態においては、通気抵抗体１２３は、空気をほぼ遮断するようにその材質及び形状が選択される。このように、本実施形態では、前面空気室１２５は、空気の流動に対して、開口部１２１以外が外部と空間的に遮断されていてよい。以下の説明では、空気の流動に対して、音声出力用の開口部１２１以外が外部と空間的に遮断されるように形成される前面空気室１２５のことを密閉型の前面空気室１２５とも呼称する。また、密閉型の前面空気室１２５を有するヘッドホン１０のことを、密閉型のヘッドホン１０とも呼称する。
【００２８】
リアハウジング１３０の隔壁の一部領域には、管状の部材によって構成され、背面空気室１３２とハウジング１４０の外部（すなわち、ヘッドホン１０の外部）とを管を介して空間的に接続する音響管１５０が設けられる。音響管１５０は、例えば図１に示すように、リアハウジング１３０の隔壁から外部に向かって突出するように設けられる。ここで、音響管１５０は、音響管１５０内を通過する空気の流動に対して所定のインダクタンス成分となり得る長さ及び内断面積（音響管１５０の内径によって規定される管内部の断面積）を有するように形成される。図２を参照して後述するが、本実施形態では、空気の流動に対する音響管１５０のインダクタンス成分は、ヘッドホン１０の音響等価回路４０において、音響特性に作用するインダクタンスＭｂとして機能する。なお、音響管１５０の詳細な構成及び形状については、下記（４．音響管の設計方法）で詳しく説明する。
【００２９】
また、本実施形態では、リアハウジング１３０の隔壁には、音響管１５０が設けられる領域以外には、背面空気室１３２とハウジング１４０の外部とを空間的に接続する開口部が設けられなくてよい。従って、背面空気室１３２は、音響管１５０における通気以外が外部と空間的に遮断され得る。このような構成を実現するために、フロントハウジング１２０とリアハウジング１３０との接合部分が、例えば接着剤等により気密が保たれた状態で接合される。なお、リアハウジング１３０の隔壁に音響管１５０以外の開口部を設けること（後述するハウジング抵抗を設けることに対応する。）がヘッドホン１０の音響特性に及ぼす影響については、下記（３．本実施形態に係るヘッドホンの音響特性）で詳しく説明する。
【００３０】
例えば、音響管１５０は、管状の部材がハウジング１４０とは別途用意され、当該管状の部材とハウジング１４０とを組み合わせることによって形成される。例えば、音響管１５０は、ハウジング１４０の背面空気室１３２を構成する隔壁の一部領域に、背面空気室１３２とハウジング１４０の外部とを空間的に接続する開口部が設けられ、管状の部材が当該開口部に接続されることにより構成される。具体的には、音響管１５０は、管状の部材が、その一端が背面空気室１３２内に位置し、他端がハウジング１４０の外部に位置するように、当該開口部を貫通して設けられることにより構成されてもよい。また、音響管１５０は、管状の部材の一端が当該開口部に接続されることによって構成されてもよい。ただし、上述したように、本実施形態では、背面空気室１３２は、音響管１５０における通気以外が外部と空間的に遮断され得るため、管状の部材が接続されるハウジング１４０の隔壁に設けられる開口部については、当該開口部と管状の部材との接合部分が、例えば接着剤等により気密が保たれた状態で接合される。
【００３１】
また、例えば、音響管１５０は、ハウジング１４０と一体的に形成されてもよい。音響管１５０がハウジング１４０と一体的に形成される場合には、ハウジング１４０の隔壁に管状の部材を接続するための開口部を形成する必要がなくなるため、背面空気室１３２における気密性がより確実に確保され得る。
【００３２】
以上、図１を参照して、本実施形態に係るヘッドホン１０の概略構成について説明した。次に、図２を参照して、図１に示すヘッドホン１０の音響等価回路について説明する。図２は、図１に示すヘッドホン１０の音響等価回路を示す図である。
【００３３】
ここで、音響等価回路とは、ヘッドホン１０の機械系及び音響系の要素を電気回路の要素に置き換えたものである。音響等価回路においては、その電圧が音響系における音圧に対応し、その電流が音響系における空気の粒子速度（すなわち空気の流動）に対応している。従って、ヘッドホン１０の音響等価回路における電圧を解析することにより、ヘッドホン１０において出力される音声の音圧を解析することができる。ここで、出力された音声の音圧と基準値（例えばヒトの最小可聴音圧値）との比率をデシベル単位で表現したものは、音圧感度（ＳＰＬ：Ｓｏｕｎｄ  Ｐｒｅｓｓｕｒｅ  Ｌｅｖｅｌ）と呼称され、音響特性を評価する１つの指標となっている。音圧感度特性を調整することは、すなわち、音響特性を調整することであると言える。ヘッドホン１０の音響等価回路から音圧感度を算出することにより、ヘッドホン１０の音響特性を評価することができる。
【００３４】
図２を参照すると、音響等価回路４０では、信号源Ｖｓ、インダクタンスＭｏ、抵抗Ｒｏ及び容量Ｃｏが直列に配置される。信号源Ｖｓ、インダクタンスＭｏ、抵抗Ｒｏ及び容量Ｃｏは、ドライバユニット１１０の機械系の要素に対応する要素である。具体的には、信号源Ｖｓは、ドライバユニット１１０によって振動板１１２が振動される際の起振力に対応する要素であり、音響等価回路４０においては起電力を発生させる電源要素である。また、インダクタンスＭｏ、抵抗Ｒｏ及び容量Ｃｏは、それぞれ、ドライバユニット１１０における質量、機械的な抵抗、コンプライアンスに対応する要素である。
【００３５】
また、音響等価回路４０では、抵抗Ｒｌ及び容量Ｃｌが並列に配置される。ここで、抵抗Ｒｌ及び容量Ｃｌは、前面空気室１２５における空気の流動に関係する要素である。具体的には、抵抗Ｒｌは、前面空気室１２５の開口部１２２に設けられる通気抵抗体１２３による抵抗成分に対応している。上述したように、本実施形態では、前面空気室１２５は密閉型であるため、抵抗Ｒｌは十分大きい値を有するとみなすことができる。また、容量Ｃｌは前面空気室１２５の容積に対応している。
【００３６】
また、音響等価回路４０では、容量Ｃｄ、容量Ｃｂ及びインダクタンスＭｂが並列に配置される。また、並列に配置される容量Ｃｄ及び容量Ｃｂの間には抵抗Ｒｄが存在する。ここで、抵抗Ｒｄ、容量Ｃｄ、容量Ｃｂ及びインダクタンスＭｂは、ドライバユニット背面空気室１１８及び背面空気室１３２における空気の流動に関係する要素である。具体的には、抵抗Ｒｄは、ドライバユニット背面空気室１１８と背面空気室１３２とを空間的に接続する通気孔１１６に設けられる通気抵抗体１１７による抵抗成分に対応している。また、容量Ｃｄ及び容量Ｃｂは、それぞれ、ドライバユニット背面空気室１１８及び背面空気室１３２の容積に対応している。また、インダクタンスＭｂは、音響管１５０におけるインダクタンス成分に対応している。ここで、図３を参照して後述するように、本実施形態では、抵抗Ｒｄ、容量Ｃｄ、容量Ｃｂ及びインダクタンスＭｂの値を変化させることにより、ヘッドホン１０の音響特性が調整される。以下では、抵抗Ｒｄのことを音響抵抗とも呼称し、容量Ｃｂのことを音響容量とも呼称し、インダクタンスＭｂのことを音響インダクタンスとも呼称することとする。
【００３７】
ここで、容量Ｃｂ及びインダクタンスＭｂに注目すると、音響等価回路４０においては、少なくとも容量Ｃｂ及びインダクタンスＭｂによって、所定の共振周波数において反共振を生じさせる並列共振回路が形成されているとみなすことができる。本実施形態においては、音響容量と音響インダクタンスとによって反共振を生じさせることにより、所定の周波数帯域における音圧感度を調整することができる。
【００３８】
なお、上述したように、本実施形態では、通気抵抗体１１７として、空気の流動に対する抵抗が比較的小さいものが選択されてもよく（すなわち、抵抗Ｒｄの値が比較的小さくてもよく）、そのため、ドライバユニット背面空気室１１８と背面空気室１３２との間の空気の流動が比較的自由に行われ得る。この場合、上述した音響容量は、ドライバユニット背面空気室１１８の容積に対応する容量成分である容量Ｃｄを更に含んでもよい。従って、抵抗Ｒｄの値が比較的小さい場合には、近似的に、インダクタンスＭｂと、容量Ｃｄと容量Ｃｂとの合成容量Ｃｓと、によって、所定の共振周波数において反共振を生じさせる並列共振回路が形成されているとみなすことができる。このように、本実施形態においては、容量Ｃｄ、容量Ｃｂ及びインダクタンスＭｂによって反共振が生じているとも言える。以下の説明において、音響容量とは、容量Ｃｂのことであってもよいし、容量Ｃｄを更に含んでもよい。
【００３９】
図３を参照して、音響容量及び音響インダクタンスによる反共振を利用した音圧感度の調整について詳しく説明する。図３は、本実施形態に係るヘッドホン１０の音圧感度特性を定性的に示すグラフ図である。図３では、横軸に周波数を取り、縦軸に音圧感度を取り、図２に示す音響等価回路４０の解析結果から得られた、ヘッドホン１０における音圧感度特性をプロットしている。また、図３に示す例では、音響容量は、容量Ｃｂ及び容量Ｃｄを含んでいる。
【００４０】
図３を参照して、まず、本実施形態における所望の音響特性について説明する。以下の説明では、便宜的に、２００（Ｈｚ）以下の周波数帯域を低音域、２００（Ｈｚ）〜２０００（Ｈｚ）の周波数帯域を中音域、２０００（Ｈｚ）以上の周波数帯域を高音域と呼称する。このように周波数帯域を分割すると、例えば、ヒトが発する声は中音域に属し、それよりも低いベース音は低音域に属する。
【００４１】
本実施形態における所望の音響特性の一例は、例えば、低音域の音声がより強調されつつ、中音域の音声の音質がより向上された音圧感度特性によって表現される。低音域の音声をより強調することは、例えばヘッドホン１０の前面空気室１２５を密閉型にすることにより実現され得る。例えば、カナル型イヤホン等の密閉型の前面空気室を有するヘッドホンにおいては、より低い周波数帯域まで所定の音圧を保った状態で音声を出力することができることが知られている。図３では、一般的な既存の密閉型のヘッドホンにおける音圧感度特性の一例を、点線の曲線Ａで図示している。
【００４２】
一方、中音域の音声の音質については、例えば、ヒトの声が含まれる中音域の周波数帯域において音圧が大きく変化してしまうと、その音声を聞いているユーザにとっては、ヒトの声がこもった音に聞こえてしまうことが知られている。従って、中音域の音声の音質を向上させるためには、中音域における音圧感度の変化が比較的小さいことが望ましい。
【００４３】
従って、低音域の音声がより強調されつつ、中音域の音声の音質がより向上された音圧感度特性とは、低音域から中音域に掛けて急峻な傾きで音圧が低下し、中音域においては音圧感度ができるだけ変化しないような、いわば、低音域から中音域に掛けて階段状に音圧感度が低下する音圧感度特性（以下、単に「階段状の音圧感度特性」と呼称する。）であると考えることができる。ここで、図３に示す曲線Ａを参照すると、既存のヘッドホンにおける音圧感度特性では、低音域から中音域に掛けて、比較的なだらかな傾きで音圧が低下し、中音域においてもそのなだらかな傾きのまま音圧感度が低下している。このような音圧感度特性では、中音域に含まれる例えばヒトの声に対して高い音質を実現できない恐れがある。このように、既存の密閉型のヘッドホンにおいては、特に中音域の音圧感度特性について改善の余地があった。
【００４４】
ここで、既存のヘッドホンにおいては、所定の周波数帯域の音圧感度が、ドライバユニット背面空気室とドライバユニットの背面側の空間との通気抵抗（すなわち、本実施形態における、図１に示す通気抵抗体１１７による抵抗成分及び図２に示す抵抗Ｒｄに対応）の値に少なくとも基づいて決定されることが知られている。具体的には、当該通気抵抗に対応する抵抗Ｒｄの値を変化させることにより、低音域から中音域に掛けての音圧感度の値を調整することができる。従って、抵抗Ｒｄの値を変化させることにより、中音域の音圧感度を調整し、音響特性を向上できる可能性がある。しかしながら、図３に矢印で示すように、抵抗Ｒｄの値を変化させた場合、曲線Ａにおける傾きを保ったまま音圧感度の値が上下する。このように、既存のヘッドホンにおいては、例えば抵抗Ｒｄの値を調整して音響特性を向上させようとしても、上述したような階段状の音圧感度特性を得ることは困難であった。
【００４５】
一方、本実施形態においては、音響管１５０を設けることにより、音響容量及び音響インダクタンスによる反共振を生じさせる並列共振回路が形成される。音響等価回路４０における反共振は、図３に示す音圧感度曲線においては、音圧感度にディップを形成するように作用する。例えば、図３には、中音域にディップを有する曲線Ｂが実線で図示されている。当該ディップが、音響容量及び音響インダクタンスによって生じる反共振に対応している。ここで、反共振の共振周波数ｆｈは、音響容量の値及び音響インダクタンスの値に少なくとも基づいて決定され得る。本実施形態においては、音響容量の値と、音響インダクタンスの値と、を調整することにより、反共振の共振周波数ｆｈが含まれる周波数帯域、すなわち、音圧感度にディップが形成される周波数帯域を調整することが可能となる。
【００４６】
また、上述したように、本実施形態に係るドライバユニット１１０は既存の一般的なダイナミック型ドライバユニットと同様の構成であってよい。従って、本実施形態においても、既存のヘッドホンと同様に、所定の周波数帯域の音圧感度が、抵抗Ｒｄ（すなわち、音響抵抗）の値に少なくとも基づいて決定され得る。具体的には、本実施形態においては、音響抵抗の値を変化させることにより、低音域から中音域に掛けての音圧感度の値を調整することが可能である。従って、反共振の共振周波数ｆｈが低音域から中音域に掛けての周波数帯域に位置するように音響容量の値及び音響インダクタンスの値を適宜調整することにより、低音域から中音域に掛けての音圧感度の値は、音響抵抗による値の変化と、反共振によって形成されるディップによる値の変化とが足し合わされたものとなり得る。よって、共振周波数ｆｈが位置する周波数帯域、すなわちディップが形成される周波数帯域に、曲線Ａに示す傾きよりも急峻な傾きを有する音圧感度の段差が形成され得る。
【００４７】
このように、本実施形態においては、所定の周波数帯域におけるヘッドホン１０の音圧感度が、音響容量の値と、音響インダクタンスの値と、音響抵抗の値と、に少なくとも基づいて決定され得る。具体的には、音響容量、音響インダクタンス及び音響抵抗によって、低音域から中音域に掛けての音圧感度が調整され得る。また、本実施形態では、前面空気室１２５が密閉型であるため、低音域における音圧感度が中音域における音圧感度よりも大きい値に維持される音圧感度特性が実現され得る。従って、音響容量、音響インダクタンス及び音響抵抗の値を適宜調整することにより、例えば上述した階段状の音圧感度特性を得ることができる。また、音響容量、音響インダクタンス及び音響抵抗の値を更に適宜調整することにより、低音域と中音域との音圧感度差及び音圧感度が階段状に低下する際の段差が位置する周波数帯域が調整され得る。従って、例えば低音域と中音域との感度差が大きいメリハリのある音響特性が実現される。
【００４８】
図３では、本実施形態において得られる階段状の音圧感度特性の一例が、破線の曲線Ｃによって図示されている。曲線Ｃに示す音圧感度特性においては、例えば反共振の共振周波数ｆｈが約３５０（Ｈｚ）〜６５０（Ｈｚ）の間に位置するように音響容量及び音響インダクタンスの値が適宜調整され得る。また、共振周波数ｆｈが約３５０（Ｈｚ）〜６５０（Ｈｚ）の間に位置する状態で、低音域から中音域に掛けてより急峻な傾きで音圧感度が低下するように、音響抵抗の値が適宜調整され得る。このように、本実施形態では、所望の音響特性の１つとして、低音域の音声がより強調されつつ、中音域の音声の音質がより向上される音圧感度特性が実現される。
【００４９】
ここで、上述したように、音響容量は、例えば容量Ｃｂと容量Ｃｄとの合成容量に対応している。容量Ｃｄは、ドライバユニット背面空気室１１８の容積に対応しており、ドライバユニット１１０におけるフレーム１１１及び振動板１１２の構成によってその値が決定され得る。また、容量Ｃｂは、背面空気室１３２の容積に対応しており、リアハウジング１３０の構成によってその値が決定され得る。また、音響インダクタンス（インダクタンスＭｂ）は、音響管１５０のインダクタンス成分に対応しており、その値は音響管１５０の形状に依存している。例えば、音響管１５０の内断面積が小さくなるほど、長さが長くなるほど、インダクタンスＭｂの値は大きくなる。また、音響抵抗（抵抗Ｒｄ）は、ドライバユニット背面空気室１１８と背面空気室１３２とを空間的に接続する通気孔１１６に設けられる通気抵抗体１１７による抵抗成分に対応しており、その値は通気抵抗体１１７の材質及び形状に依存している。例えば、通気抵抗体１１７の材質において粒子が密に詰まっているほど、通気抵抗体１１７の空気の流動方向（図１に示す例ではｚ軸方向）における長さが長いほど、通気抵抗体１１７の断面積が小さいほど、抵抗Ｒｄの値は大きくなる。このように、本実施形態では、リアハウジング１３０の構成、ドライバユニット１１０におけるフレーム１１１及び振動板１１２の構成、音響管１５０の形状、並びに、通気抵抗体１１７の材質及び形状を変化させることにより、音響容量、音響インダクタンス及び音響抵抗の値を変化させ、所望の音圧感度特性を実現することができる。
【００５０】
（２．本実施形態に係るヘッドホンの構成）
次に、図４Ａ−図４Ｆ、図５、図６及び図７を参照して、本開示の一実施形態に係るヘッドホンの構成についてより詳細に説明する。図４Ａ−図４Ｆは、本実施形態に係るヘッドホンの外観を示す６面図である。図５は、本実施形態に係るヘッドホンのユーザへの装着例を示す説明図である。図６は、本実施形態に係るヘッドホンの構成を示す断面図である。図７は、本実施形態に係るヘッドホンの構成を示す分解斜視図である。
【００５１】
図４Ａ−図４Ｆ、図５、図６及び図７を参照すると、本実施形態に係るヘッドホン２０は、ドライバユニット２１０と、ドライバユニット２１０を内部に収容するハウジング２４０と、を備える。ここで、図４Ａ−図４Ｆ、図５、図６及び図７に示すヘッドホン２０は、図１を参照して説明したヘッドホン１０に対応する。従って、以下では、ヘッドホン２０の各構成部材について説明する際に、図１に示すヘッドホン１０の各構成部材との対応関係についても併せて説明する。また、対応する構成部材同士は互いに同様の機能を有するため、ヘッドホン２０の構成部材において、図１を参照して既に説明した構成部材に対応するものについては、その詳細な説明を省略する。
【００５２】
まず、図４Ａ−図４Ｆ及び図５を参照して、本実施形態に係るヘッドホン２０の外観について説明する。図４Ａ−図４Ｆを参照すると、本実施形態に係るヘッドホン２０のハウジング２４０は複数の部材によって構成され得る。ハウジング２４０は、図１に示すハウジング１４０に対応している。図４Ａ−図４Ｆに示す例では、ハウジング２４０は３つの部品から構成されている。すなわち、ハウジング２４０は、ドライバユニット２１０の前面側を覆うフロントハウジング２２０と、ドライバユニット２１０の背面側を覆うリアハウジング２３０と、音声信号をドライバユニット２１０に供給するケーブル２９１を覆うケーブル用ハウジング２９０と、によって構成される。フロントハウジング２２０及びリアハウジング２３０は、それぞれ、図１に示すフロントハウジング１２０及びリアハウジング１３０に対応している。なお、本実施形態はかかる例に限定されず、ハウジング２４０は４つ以上の部材によって構成されてもよい。
【００５３】
フロントハウジング２２０の一部領域には、外部に向かって突設される管状の部位である音導管２２４が形成される。音導管２２４は、図１に示す音導管１２４に対応する。また、音導管２２４の先端部分の外周には、音導管２２４をユーザの外耳道の内壁に密着させるためのイヤーピース２２６が設けられる。音導管２２４の内部には音声出力用の開口部（図６に示す開口部２２１）が設けられており、ユーザが音声を聴くときには、図５に示すように、イヤーピース２２６を含む音導管２２４の先端部分がユーザの外耳道に挿入される。このように、本実施形態に係るヘッドホン２０は、いわゆるカナル型イヤホンであってよい。
【００５４】
次に、図６及び図７を参照して、本実施形態に係るヘッドホン２０の内部の構成について説明する。ここで、図６は、ヘッドホン２０の、ドライバユニット２１０の略中心を通る断面を示している。また、図７は、ヘッドホン２０の、ケーブル用ハウジング２９０の一部位を分解した様子を示しており、ケーブル用ハウジング２９０内における後述する音響管２５０及びケーブル２９１の配置が図示されている。なお、図６及び図７において図示されている構成部材は本実施形態の説明のために簡略化されており、ヘッドホン２０はこれらの図に図示されていない他の構成部材を更に備えてもよい。図示されていない構成部材は、既存の一般的なヘッドホンにおける構成部材として公知のもので有り得るため、詳細な説明は省略する。また、上述したようにヘッドホン２０は図１に示すヘッドホン１０に対応するものであるため、ヘッドホン２０の音響等価回路は、例えば図２に示す音響等価回路４０と同様なものになり得る。従って、図６においては、図１と同様、ヘッドホン２０の構成部材に付した符号の一部に、音響等価回路４０における要素の記号を付記している。
【００５５】
ドライバユニット２１０は、フレーム２１１、振動板２１２、マグネット２１３、プレート２１４及びボイスコイル２１５を有する。ドライバユニット２１０は、図１に示すドライバユニット１１０に対応する。また、フレーム２１１、振動板２１２、マグネット２１３、プレート２１４及びボイスコイル２１５は、図１に示すフレーム１１１、振動板１１２、マグネット１１３、プレート１１４及びボイスコイル１１５に対応する。ドライバユニット２１０と振動板２１２との間にはドライバユニット背面空気室２１８が形成される。振動板２１２が振動される際の起振力に対応する要素は、音響等価回路４０における信号源Ｖｓに対応する。また、ドライバユニット２１０における質量、機械的な抵抗及びコンプライアンスは、音響等価回路４０におけるインダクタンスＭｏ、抵抗Ｒｏ及び容量Ｃｏにそれぞれ対応する。更に、ドライバユニット背面空気室２１８の容積は、音響等価回路４０における容量Ｃｄに対応する。なお、本実施形態に係るドライバユニット２１０は、図１に示すドライバユニット１１０と同様に、いわゆるダイナミック型ドライバユニットであってよい。ただし、本実施形態では、ドライバユニット２１０の形式は限定されず、ドライバユニット２１０が他の形式のドライバユニットであっても同様の効果を得ることができる。
【００５６】
ドライバユニット２１０のフレーム２１１には、フレーム２１１をｚ軸方向に貫通する通気孔２１６が設けられる。通気孔２１６は、図１に示す通気孔１１６に対応している。通気孔２１６は、フレーム２１１の略中心に形成されており、ドライバユニット背面空気室２１８とドライバユニット２１０の背面側の空間であってドライバユニット２１０とハウジング２４０とで囲まれる空間（後述する背面空気室２３２）とを空間的に接続する。
【００５７】
通気孔２１６には、その孔を塞ぐように通気抵抗体２１７が設けられる。通気抵抗体２１７は、図１に示す通気抵抗体１１７に対応する。通気抵抗体２１７の空気の流動に対する抵抗成分は、音響等価回路４０における抵抗Ｒｄに対応する。
【００５８】
ここで、通気抵抗体２１７の材質及び形状は、例えば図３に示すような音圧感度特性を考慮して、所望の音圧感度特性が得られるように適宜設定されてよい。より具体的には、図３を参照して説明したように、通気抵抗体２１７の材質及び形状は、階段状の音圧感度特性が得られる抵抗Ｒｄの値が実現されるように適宜設定され得る。例えば、本実施形態では、通気抵抗体２１７としては、空気の流動に対する抵抗が比較的小さいものが選択され得る。通気抵抗体２１７における空気の流動に対する抵抗が比較的小さいことにより、ドライバユニット背面空気室２１８と背面空気室２３２との間の空気の流動が比較的自由に行われることとなる。ただし、図２及び図３を参照して上述したように、音響等価回路４０において通気抵抗体２１７の抵抗成分に対応する抵抗Ｒｄは、ヘッドホン１０における音圧感度特性に関係している。また、下記（３．本実施形態に係るヘッドホンの音響特性）で説明するように、通気抵抗体２１７が設けられない場合（すなわち、抵抗Ｒｄがゼロである場合）には、ヘッドホン２０の音響特性は著しく変化する。従って、実際には、通気抵抗体２１７の材質等、通気抵抗に関する特性は、抵抗Ｒｄがヘッドホン２０の音響特性に及ぼす影響を考慮して適宜選択され得る。
【００５９】
なお、本実施形態では、通気孔２１６はドライバユニット背面空気室２１８と背面空気室２３２とを空間的に接続するように設けられればよく、その形成位置は図６に示す例に限定されない。例えば、通気孔２１６は、フレーム２１１の中心から所定の距離だけ径方向にずれた位置（すなわち、エッジ部）に形成されてもよい。また、通気孔２１６は、フレーム２１１における互いに異なる位置に複数設けられてもよい。本実施形態では、フレーム２１１において通気孔２１６が設けられる位置は、通気孔２１６に設けられる通気抵抗体２１７が音響等価回路４０において同様の機能を有する位置であればよく、例えばハウジング２４０内の他の構成部材の配置位置等を考慮して適宜設定されてよい。
【００６０】
ハウジング２４０は、内部にドライバユニット２１０を収容する。ハウジング２４０は、図１に示すハウジング１４０に対応している。ドライバユニット２１０の前面側には、ドライバユニット２１０とハウジング２４０とによって囲まれる空間である前面空気室２２５が形成される。また、ドライバユニット２１０の背面側には、ドライバユニット２１０とハウジング２４０とによって囲まれる空間である背面空気室２３２が形成される。前面空気室２２５の容積及び背面空気室２３２の容積は、音響等価回路４０における容量Ｃｌ及び容量Ｃｂに対応する。
【００６１】
上述したように、ハウジング２４０は複数の部材によって構成され得る。図６に示すように、ハウジング２４０は、ドライバユニット２１０の前面側を覆うフロントハウジング２２０と、ドライバユニット２１０の背面側を覆うリアハウジング２３０と、ケーブル２９１を覆うケーブル用ハウジング２９０と、を接合することによって形成される。
【００６２】
フロントハウジング２２０の隔壁には、ハウジング２４０の内部と外部とを空間的に接続する開口部２２１、２２２が設けられる。開口部２２１、２２２は、図１に示す開口部１２１、１２２に対応する。開口部２２１は、音声を外部に出力するための開口部であり、上述した音導管２２４の内部に設けられる。
【００６３】
音導管２２４の内部には、通気抵抗体であるイコライザー２２７が設けられる。イコライザー２２７の材質及び形状を適宜設定することにより、例えば出力される音声について特定の周波数帯域の成分を低減させる等、音質の調整を行うことができる。
【００６４】
開口部２２２には、その孔を塞ぐように通気抵抗体２２３が設けられる。通気抵抗体２２３は、図１に示す通気抵抗体１２３に対応する。すなわち、ヘッドホン２０においても、ヘッドホン１０と同様、通気抵抗体２２３は、空気をほぼ遮断するようにその材質及び形状が選択される。このように、本実施形態では、前面空気室２２５は、開口部２２１以外が外部と空間的に遮断された密閉型の空気室であってよい。通気抵抗体２２３の空気の流動に対する抵抗成分は、音響等価回路４０における抵抗Ｒｌに対応する。
【００６５】
リアハウジング２３０の隔壁の一部領域には、管状の部材によって構成され、背面空気室２３２とケーブル用ハウジング２９０の内部空間２９２とを管を介して空間的に接続する音響管２５０が設けられる。音響管２５０は、図１に示す音響管１５０に対応する。図６に示す例では、ハウジング２４０の背面空気室２３２を構成する隔壁の一部領域に、背面空気室２３２とハウジング２４０の外部とを空間的に接続する開口部が設けられ、音響管２５０は、管状の部材が当該開口部に接続されることにより構成されている。具体的には、音響管２５０は、その一端が背面空気室２３２に位置し、他端が内部空間２９２に位置するように、リアハウジング２３０の隔壁に設けられる開口部を貫通して設けられている。ただし、音響管２５０の構成はかかる例に限定されず、例えば、当該管状の部材は当該開口部を貫通して設けられなくてもよく、音響管２５０は、管状の部材の一端が当該開口部に接続されることによって構成されてもよい。
【００６６】
ここで、本実施形態では、ケーブル用ハウジング２９０の内部空間２９２は、ハウジング２４０の外部（すなわち、ヘッドホン２０の外部）と空気の流動に対してほぼ抵抗がない状態で接続されている。従って、音響管２５０は、背面空気室２３２とハウジング２４０の外部（すなわち、ヘッドホン２０の外部）とを管を介して接続するものであると言える。なお、このような構成を実現するために、本実施形態では、例えばケーブル用ハウジング２９０の隔壁に空気の流動に対してほぼ抵抗となり得ない大きさを有する開口部が設けられたり、リアハウジング２３０とケーブル用ハウジング２９０との接合部分が気密性を考慮することなく簡易な方法で接合されたりしてよい。
【００６７】
音響管２５０は、音響管２５０内を通過する空気の流動に対して所定のインダクタンス成分となり得る長さ及び内断面積を有するように形成される。空気の流動に対する音響管２５０のインダクタンス成分は、音響等価回路４０において、音響特性に作用するインダクタンスＭｂとして機能する。なお、音響管２５０の詳細な構成及び形状については、下記（４．音響管の設計方法）で詳しく説明する。
【００６８】
また、本実施形態では、リアハウジング２３０の隔壁には、音響管２５０が設けられる領域以外には、背面空気室２３２と内部空間２９２又はハウジング２４０の外部とを空間的に接続する開口部が設けられなくてよい。従って、背面空気室２３２は、音響管２５０における通気以外が外部と空間的に遮断され得る。このような構成を実現するために、フロントハウジング２２０とリアハウジング２３０との接合部分は、例えば接着剤等により気密が保たれた状態で接合される。また、音響管２５０が接続されるリアハウジング２３０の隔壁に設けられる開口部についても、当該開口部と音響管２５０との接合部分が、例えば接着剤等により気密が保たれた状態で接合される。なお、リアハウジング２３０の隔壁に音響管２５０以外の開口部を設けること（後述するハウジング抵抗を設けることに対応する。）がヘッドホン２０の音響特性に及ぼす影響については、下記（３．本実施形態に係るヘッドホンの音響特性）で詳しく説明する。
【００６９】
また、図６に示す例では、音響管２５０は、管状の部材がハウジング２４０とは別途用意され、当該管状の部材とハウジング２４０とを組み合わせることによって形成されているが、本実施形態はかかる例に限定されない。例えば、音響管２５０は、ハウジング２４０と一体的に形成されてもよい。音響管２５０がハウジング２４０と一体的に形成される場合には、ハウジング２４０の隔壁に管状の部材を接続するための開口部を形成する必要がなくなるため、背面空気室２３２における気密性がより確実に確保され得る。
【００７０】
ケーブル用ハウジング２９０の内部空間２９２には、音響管２５０の一端が設けられるとともに、音声信号伝達用のケーブル２９１が引き回される。具体的には、図６では図示されないが、音声信号を出力する音響機器から延伸されたケーブル２９１は、ケーブル用ハウジング２９０の内部空間２９２を経由してドライバユニット２１０に接続される。
【００７１】
図７を参照して、ケーブル用ハウジング２９０の内部空間２９２の構成について詳しく説明する。図７を参照すると、内部空間２９２には、音響管２５０が設けられるとともに、ケーブル２９１を係止する係止部材２９３及び係止部材２９３を固定するストッパ２９４が設けられる。音声信号を出力する音響機器から延伸されたケーブル２９１は、内部空間２９２において係止部材２９３によって係止され、その延伸方向がドライバユニット２１０が設けられる方向に変更される。また、係止部材２９３の位置がストッパ２９４によって固定されることにより、内部空間２９２内におけるケーブル２９１の配置位置が固定される。図７に示すように、リアハウジング２３０の隔壁であって内部空間２９２と面する隔壁にはケーブル２９１を背面空気室２３２内に導く開口部２９５が設けられており、ケーブル２９１は開口部２９５を挿通して背面空気室２３２内まで延伸され、ドライバユニット２１０に接続される。ただし、上述したように、本実施形態では、背面空気室２３２は音響管２５０における通気以外が外部と空間的に遮断され得るため、開口部２９５は、ケーブル２９１が挿通された後に例えば樹脂系材料等によって気密性が保たれた状態で塞がれてよい。
【００７２】
ここで、本実施形態に係るヘッドホン２０における音響管２５０の形状（長さ及び／又は内断面積）やケーブル用ハウジング２９０の内部空間２９２内におけるケーブル２９１の引き回し方は、図７に示す例に限定されず、例えばヘッドホン２０の音響特性や内部空間２９２内の各部材の配置等に応じて適宜変更されてよい。図８Ａ−図８Ｃを参照して、このような、本実施形態に係るヘッドホン２０のいくつかの変形例について説明する。
【００７３】
上述したように、本実施形態では、音響等価回路４０のインダクタンスＭｂの値を変更することにより音響特性が調整されるために、音響管２５０の形状（長さ及び／又は内断面積）が適宜変更され得る。図８Ａを参照して、このような、本実施形態に係るヘッドホン２０において、音響管２５０の形状が変更された変形例について説明する。図８Ａは、本実施形態に係るヘッドホン２０において、音響管２５０の形状が変更された変形例の構成を示す分解斜視図である。なお、本変形例に係るヘッドホン２０ａは、上述した本実施形態に係るヘッドホン２０に対して、音響管２５０の内径の大きさが変更されたものに対応しており、その他の構成についてはヘッドホン２０と同様であってよい。また、図８Ａは、図７に対応する分解斜視図であり、本変形例に係るヘッドホン２０ａの、ケーブル用ハウジング２９０の一部位を分解した様子を示しており、ケーブル用ハウジング２９０内における後述する音響管２５０ａ及びケーブル２９１の配置が図示されている。
【００７４】
図８Ａを参照すると、本変形例に係るヘッドホン２０ａに設けられる音響管２５０ａは、図７に示すヘッドホン２０に設けられる音響管２５０よりも、内径がより大きく形成されている。図８Ａに示すような比較的内径が大きい音響管２５０ａは、ハウジング２４０と一体的に形成しやすい。ハウジング２４０は、例えば射出成型法等の方法により形成され得るが、音響管２５０ａの内径が比較的大きい方が、ハウジング２４０と一体的に形成された場合に所望の内径が確保されやすい。上述したように、音響管２５０ａとハウジング２４０とを一体的に形成することにより、背面空気室２３２における気密性がより確実に確保され得るため、音響管２５０ａの内径が比較的大きい場合には、音響管２５０ａは、ハウジング２４０と一体的に形成されることが好ましい。
【００７５】
また、図８Ｂ及び図８Ｃは、本実施形態に係るヘッドホン２０において、ケーブル用ハウジング２９０の内部空間２９２内でのケーブル２９１の引き回し方が変更された変形例の一構成例を示す分解斜視図である。図８Ｂを参照すると、本変形例に係るヘッドホン２０ｂは、図７に示す、内径が比較的小さい音響管２５０を備えるヘッドホン２０に対して、ケーブル２９１の引き回し方が変更されたものに対応しており、その他の構成についてはヘッドホン２０と同様であってよい。また、図８Ｂは、図７に対応する分解斜視図であり、本変形例に係るヘッドホン２０ｂの、ケーブル用ハウジング２９０の一部位を分解した様子を示しており、ケーブル用ハウジング２９０内における音響管２５０及びケーブル２９１の配置が図示されている。
【００７６】
図８Ｂに示すように、本変形例に係るヘッドホン２０ｂでは、音声信号を出力する音響機器から延伸されたケーブル２９１は、係止部材２９３とストッパ２９４との間から引き出される。そして、ケーブル２９１は、リアハウジング２３０の隔壁であって内部空間２９２と面する隔壁に設けられる開口部２９５を挿通して背面空気室２３２内まで延伸され、ドライバユニット２１０に接続される。図８Ｂに示すように、本変形例では、ストッパ２９４により、係止部材２９３及びケーブル２９１の双方が固定され得る。本実施形態では、このように、係止部材２９３及びストッパ２９４の構成が適宜変更されることにより、ケーブル２９１の引き回し方が適宜変更されてよい。
【００７７】
また、図８Ｃは、図８Ａに示す、内径が比較的大きい音響管２５０ａを備えるヘッドホン２０ａに対して、ケーブル２９１の引き回し方が変更された変形例の一構成例を図示している。図８Ｃは、図８Ａに対応する分解斜視図であり、本変形例に係るヘッドホン２０ｃの、ケーブル用ハウジング２９０の一部位を分解した様子を示しており、ケーブル用ハウジング２９０内における音響管２５０ａ及びケーブル２９１の配置が図示されている。
【００７８】
図８Ｃを参照すると、本変形例に係るヘッドホン２０ｃでは、上述した図８Ｂに示すヘッドホン２０ｂと同様に、音声信号を出力する音響機器から延伸されたケーブル２９１は、係止部材２９３とストッパ２９４との間から引き出される。このように、本変形例においても、ストッパ２９４により、係止部材２９３及びケーブル２９１の双方が固定され得る。しかしながら、本変形例では、リアハウジング２３０の隔壁に開口部２９５は設けられず、ケーブル２９１は、音響管２５０ａの管内に挿通されて背面空気室２３２内まで延伸され、ドライバユニット２１０に接続される。
【００７９】
本変形例のように、音響管２５０ａの内径が比較的大きい場合には、その内部にケーブル２９１が挿通されて、ケーブル２９１が背面空気室２３２内まで延伸されてもよい。この場合、図８Ｃに示すように、開口部２９５は設けられなくてもよい。開口部２９５が設けられないことにより、当該開口部２９５における気密性を考慮する必要がなくなるため、背面空気室２３２における気密性がより確実に保たれることとなる。なお、音響管２５０ａの内径が比較的大きい場合には、その内部にケーブル２９１が挿通されたとしても、ケーブル２９１によって音響管２５０ａの内部が塞がれてしまうことがないため、音響特性に対する音響管２５０ａの機能が大きく損なわれることはない。また、例えばケーブル２９１が挿通されることの影響を考慮した音響管２５０ａのインダクタンス成分Ｍｂや抵抗成分を適宜算出することにより、上述したような音響等価回路４０を用いたヘッドホン２０ｃの音響特性の評価を同様に行うことが可能となる。
【００８０】
以上、図４Ａ−図４Ｆ、図５、図６及び図７を参照して、本開示の一実施形態に係るヘッドホン２０の構成について説明した。また、図８Ａ−図８Ｃを参照して、本実施形態に係るヘッドホン２０において、音響管２５０の形状及びケーブル用ハウジング２９０の内部空間２９２内におけるケーブル２９１の引き回し方が変更された変形例について説明した。
【００８１】
（３．本実施形態に係るヘッドホンの音響特性）
次に、図９及び図１０を参照して、本実施形態に係るヘッドホン２０の音響特性について説明する。図９は、本実施形態に係るヘッドホン２０の音圧感度特性を示すグラフ図である。また、図１０は、本実施形態に係るヘッドホン２０の音圧感度特性において、音響抵抗Ｒｄの効果について説明するためのグラフ図である。図９及び図１０では、横軸に周波数を取り、縦軸に音圧感度を取り、図２に示す音響等価回路４０の解析結果から得られた、ヘッドホン２０における音圧感度特性をプロットしている。ただし、図９及び図１０では、比較のため、ヘッドホン２０の構成を変化させた場合に対応する、音圧感度特性を表す複数の曲線を図示している。
【００８２】
図９を参照すると、音圧感度特性を表す３本の曲線が図示されている。図中に点線で示す曲線Ｄは、図４Ａ−図４Ｆ、図５、図６及び図７に示す構成を有する、本実施形態に係るヘッドホン２０の音圧感度特性を示す。また、図中に破線で示す曲線Ｆは、本実施形態に係るヘッドホン２０において、音響管２５０が設けられない場合（すなわち、音響等価回路４０においてインダクタンスＭｂが設けられない場合）の音圧感度特性を示す。また、図中に実線で示す曲線Ｅは、本実施形態に係るヘッドホン２０において、背面空気室２３２を構成するハウジング２４０の隔壁に、音響管２５０以外にハウジング２４０の外部に通じる開口部が設けられ、更に当該開口部に空気の流動に対して抵抗として作用する通気抵抗体が設けられた場合の音圧感度特性を示す。当該開口部及び当該通気抵抗体は、音響等価回路４０において抵抗成分として作用し、ヘッドホン２０の音響特性を変化させ得る。以下の説明では、このようなハウジング２４０の隔壁に形成される開口部に設けられる通気抵抗体であって、音響管２５０以外で背面空気室２３２とハウジング２４０の外部とを空間的に接続する開口部に設けられる通気抵抗体のことを、ハウジング２４０の隔壁に設けられる抵抗成分であることから、ハウジング抵抗とも呼称する。ハウジング抵抗を有するヘッドホンにおいては、背面空気室２３２が、音響管２５０と、当該ハウジング抵抗が設けられた開口部と、の少なくとも２つの部位によって、ハウジング２４０の外部と空間的に接続されることとなる。このように、曲線Ｆに対応するヘッドホンは、曲線Ｄに対応するヘッドホン２０の構成から音響管２５０を取り除いたものに対応し、曲線Ｅに対応するヘッドホンは、曲線Ｄに対応するヘッドホン２０の構成に対してハウジング抵抗を追加したものに対応している。
【００８３】
曲線Ｆは、図３を参照して説明した曲線Ａに対応しており、一般的な既存のヘッドホンにおける音圧感度特性を示していると言える。図９を参照すると、曲線Ｆは、中音域においてなだらかに音圧感度が低下する特性を有する。図３を参照して説明したように、曲線Ｆに示すような音圧感度特性は、例えばヒトの声に対してはあまり好ましい特性とは言えない。
【００８４】
一方、本実施形態に係るヘッドホン２０の特性を表す曲線Ｄでは、曲線Ｆと比べて、低音域から中音域に掛けて、より急峻な傾きで音圧感度が低下している。このように、曲線Ｄでは、図３に曲線Ｃとして例示したような、理想的な音響特性の１つである階段状の音圧感度特性が実現されていると言える。本実施形態に係るヘッドホン２０において曲線Ｄに示すような階段状の音圧感度特性が実現されたのは、音響管２５０を設けたことにより、音響インダクタンス（音響管２５０によるインダクタンスＭｂ）と音響容量（少なくとも背面空気室２３２による容量Ｃｂ）とによる反共振が生じ、中音域において音圧感度に対するディップが形成されたためであると考えられる。
【００８５】
本実施形態では、所望の音圧感度特性を実現するために、音響管２５０の内断面積及び長さ、並びに、少なくとも背面空気室２３２の容積を調整することにより、インダクタンスＭｂ及び容量Ｃｂの値を調整し、当該ディップの位置（すなわち、反共振の共振周波数ｆｈの位置）を制御する。当該ディップの位置は、更に、ドライバユニット背面空気室の容積を調整することによっても制御され得る。本実施形態では、例えば、共振周波数ｆｈが約３５０（Ｈｚ）〜６５０（Ｈｚ）となるように、音響管２５０の内断面積及び長さ、並びに、ドライバユニット背面空気室２１８及び背面空気室２３２の容積が調整され得る。具体的には、図９に示す例では、曲線Ｄは、ドライバユニット背面空気室２１８の容積と背面空気室２３２の容積とを合わせた容積が４００（ｍｍ３）であり、音響管２５０のサイズが内径＝０．５５（ｍｍ）、長さ＝８（ｍｍ）である場合のヘッドホン２０の音圧感度特性を示している。
【００８６】
また、上記（２．本実施形態に係るヘッドホンの構成）で説明したように、本実施形態に係るヘッドホン２０は、背面空気室２３２が、音響管２５０における通気以外が外部と空間的に遮断されるように構成され得る。図９では、比較のため、音響管２５０に加えてハウジング抵抗を更に有するヘッドホンの音圧感度特性を示す曲線Ｅも併せて図示している。曲線Ｄと曲線Ｅとを比較すると、ハウジング抵抗を有することにより、低音域から中音域に掛けての音圧感度の傾きがよりなだらかになってしまっていることが分かる。このように、本実施形態では、ハウジング抵抗が設けられないことにより（すなわち、背面空気室２３２が、音響管２５０における通気以外が外部と空間的に遮断されるように構成されることにより）、より急峻な傾きで音圧感度が低下する音圧感度特性を得ることができる。
【００８７】
また、図１０では、本実施形態に係るヘッドホン２０において、ドライバユニット背面空気室２１８と背面空気室２３２とを空間的に接続する通気孔２１６に設けられる通気抵抗体２１７に対応する音響抵抗（抵抗Ｒｄ）が設けられない場合の音圧感度特性を図示している。図中に実線で示す曲線Ｇは、本実施形態に係るヘッドホン２０において、通気抵抗体２１７が設けられない場合（すなわち、抵抗Ｒｄが設けられない場合）の音圧感度特性を示す。曲線Ｇは、図３を参照して説明した曲線Ｂに対応していると言える。また、図中に点線で示す曲線Ｈは、本実施形態に係るヘッドホン２０において、音響管２５０及び通気抵抗体２１７がともに設けられない場合（すなわち、インダクタンスＲｂ及び抵抗Ｒｄが設けられない場合）の音圧感度特性を示す。このように、曲線Ｇに対応するヘッドホンは、曲線Ｄに対応するヘッドホン２０の構成から通気抵抗体２１７を取り除いたものに対応し、曲線Ｈに対応するヘッドホンは、曲線Ｄに対応するヘッドホン２０の構成から音響管２５０及び通気抵抗体２１７を取り除いたものに対応している。
【００８８】
曲線Ｇと曲線Ｈとを比較すると、抵抗Ｒｄが設けられない場合において、音響管２５０を設けることにより、中音域においてディップが形成されていることが分かる。しかしながら、曲線Ｇを参照すると、音響管２５０を設けることによりディップは形成されているものの、約５００（Ｈｚ）以上の周波数帯域において音圧感度が急激に増加しており、中音域において音圧感度の変化が比較的小さい音圧感度特性が得られているとは言い難い。このように、抵抗Ｒｄが設けられない場合には、理想的な音響特性の１つである階段状の音圧感度特性を得ることは困難である。
【００８９】
一方、本実施形態では、音響管２５０を設けることによりディップを形成することに加えて、抵抗Ｒｄを設けることにより、低音域から中音域に掛けての音圧感度の値が調整される。従って、例えば図９に示す曲線Ｄのような、低音域の音声がより強調されつつ、中音域の音声の音質がより向上される音圧感度特性が実現され得る。
【００９０】
ここで、例えば特許文献１に記載されているような、既存のヘッドホンの音響特性について検討する。例えば上記特許文献１に記載のヘッドホンには、本実施形態に係る音響管２５０に類似するダクト構造が設けられる。
【００９１】
しかしながら、当該既存のヘッドホンの前面空気室は密閉型の前面空気室ではなく、低音域において比較的高い音圧感度が維持されない。また、上記特許文献１に記載のヘッドホンには、背面空気室に上述したハウジング抵抗が設けられている。図９を参照して説明したように、ハウジング抵抗が設けられることにより、低音域から中音域に掛けての音圧感度の低下を示す傾きがよりなだらかなものとなる。このように、特許文献１に記載のヘッドホンの音圧感度特性は、低音域の音声をより強調しながら中音域の音声の音質をより向上させるという観点からは必ずしも好ましい特性ではない。
【００９２】
一方、本実施形態では、密閉型の前面空気室を形成することにより、低音域における音圧感度が中音域における音圧感度よりも大きい、すなわち、低音域の音声がより強調された音響特性が実現され得る。また、図９を参照して説明したように、本実施形態では、ハウジング抵抗が設けられないことにより、低音域から中音域に掛けての音圧感度の低下を示す傾きをより急峻なものとすることができる。
【００９３】
このように、例えば上記特許文献１に記載の構成をそのまま適用したとしても、本実施形態に係るヘッドホン２０における音響特性を実現することは困難であると考えられる。本実施形態に係るヘッドホン２０では、前面空気室を密閉型にすること及びリアハウジング２３０にハウジング抵抗を設けないことにより、低音域の音声をより強調しながら中音域の音声の音質をより向上させる、所望の音圧感度特性が実現されていると言える。
【００９４】
（４．音響管の設計方法）
次に、ヘッドホン２０を例に挙げて、本実施形態に係る音響管２５０及びドライバユニット２１０の具体的な設計方法について説明する。図３を参照して説明したように、本実施形態では、容量Ｃｄ、容量Ｃｂ及びインダクタンスＭｂによって生じる反共振の共振周波数ｆｈの値が調整されることにより、ヘッドホン２０の音響特性が向上される。ここで、上述したように、インダクタンスＭｂは音響管２５０の長さ及び内断面積に依存し、容量Ｃｂは背面空気室２３２の容積（すなわち、ハウジング２４０の形状）に依存し、容量Ｃｄはドライバユニット背面空気室２１８の容積（すなわち、ドライバユニット２１０の形状）に依存する。以下では、本実施形態の一例として、反共振の共振周波数ｆｈが３５０（Ｈｚ）〜６５０（Ｈｚ）の周波数帯域に含まれるような、音響管２５０の長さ及び内断面積、並びに、背面空気室２３２及びドライバユニット背面空気室２１８の容積の設計方法について説明する。
【００９５】
なお、上記（２．本実施形態に係るヘッドホンの構成）で説明したように、本実施形態では、背面空気室２３２とドライバユニット背面空気室２１８との間に設けられる通気抵抗体２１７としては、空気の流動に対する抵抗が比較的小さいもの（すなわち、抵抗Ｒｄが比較的小さいもの）が選択され得る。従って、以下の説明では、簡単のため、容量Ｃｂと容量Ｃｄとの合成容量（すなわち、背面空気室２３２の容積とドライバユニット背面空気室２１８の容積とを合わせた容積に対応する容量）をＣｓとし、インダクタンスＭｂと容量Ｃｓとによって反共振が生じる場合について説明する。より詳細な解析を行う場合には、図２に示す音響等価回路４０に対して、例えば各種の回路シミュレーション等を用いた計算により、所望の共振周波数ｆｈを与え得るＭｂ、容量Ｃｂ及び容量Ｃｄの値を求めることができる。
【００９６】
インダクタンスＭｂ及び容量Ｃｓによる反共振の共振周波数ｆｈ（Ｈｚ）は、下記数式（１）で表現される。
【００９７】
【数１】
0006459974.tif 000002
【００９８】
また、インダクタンスＭｂは、音響管２５０の長さをＬ（ｍ）、内断面積をＳ（ｍ２）とすると、下記数式（２）で表現される。
【００９９】
【数２】
0006459974.tif 000003
【０１００】
ここで、ρ（ｋｇ／ｍ３）は空気密度である。また、容量Ｃｓは、ドライバユニット背面空気室２１８及び背面空気室２３２の容積をＶ（ｍ３）とすると、下記数式（３）で表現される。なお、ｃ（ｍ／ｓ）は空気中の音速である。
【０１０１】
【数３】
0006459974.tif 000004
【０１０２】
上記数式（１）〜（３）を用いることにより、例えば共振周波数ｆｈが３５０（Ｈｚ）〜６５０（Ｈｚ）の周波数帯域に含まれ得る、音響管２５０の長さＬ及び内断面積Ｓ、並びに、背面空気室２３２及びドライバユニット背面空気室２１８の容積Ｖの条件を求めることができる。例えばＶ＝４００（ｍｍ３）とした場合の、共振周波数ｆｈと、音響管２５０の長さＬ及び音響管２５０の内断面積Ｓとの関係を下記表に示す。なお、下記表では、音響管２５０の長さＬ（ｍｍ）及び音響管２５０の内断面積Ｓ（ｍｍ２）を表すパラメータとして、音響管２５０における長さＬ（ｍｍ）の内断面積Ｓ（ｍｍ２）に対する比率Ｌ／Ｓ（１／ｍｍ２）を計算している。
【０１０３】
【表１】
0006459974.tif 000005
【０１０４】
上記の表を参照すると、共振周波数ｆｈが３５０（Ｈｚ）〜６５０（Ｈｚ）に含まれるようにするためには、音響管２５０における長さＬ（ｍｍ）の内断面積Ｓ（ｍｍ２）に対する比率Ｌ／Ｓ（１／ｍｍ）を、１３〜４５（１／ｍｍ）にすればよいことが分かる。実際には、例えば異なる形状を有するいくつかの種類の音響管２５０が用意されており、用途に応じて使い分けられてもよい。例えば、本実施形態では、内径が０．６（ｍｍ）であり長さが８（ｍｍ）である音響管２５０と、内径が１．２（ｍｍ）であり長さが８（ｍｍ）である音響管２５０と、が製作され、それぞれの音響管２５０を備えるヘッドホン２０が、タイプの異なるヘッドホン２０として製作されてよい。
【０１０５】
以上説明したように、本実施形態においては、上記数式（１）〜（３）を用いることにより、共振周波数ｆｈが所望の周波数帯域、例えば２００（Ｈｚ）〜４００（Ｈｚ）に含まれるような、音響管２５０の形状（長さ及び内断面積）、ハウジング２４０の形状及びドライバユニット２１０の形状が設計され得る。上記の例では、本実施形態に係る音響管２５０、ハウジング２４０及びドライバユニット２１０の設計方法の一例として、共振周波数ｆｈが３５０（Ｈｚ）〜６５０（Ｈｚ）に含まれることや、背面空気室２３２及びドライバユニット背面空気室２１８の容積Ｖが４００（ｍｍ３）であることを条件として、音響管２５０、ハウジング２４０及びドライバユニット２１０の設計方法を示したが、本実施形態はかかる例に限定されない。共振周波数ｆｈが他の周波数帯域に含まれることを条件とする場合や、背面空気室２３２及びドライバユニット背面空気室２１８の容積Ｖが他の値を有することを条件とする場合においても、上記説明した同様の方法によって、音響管２５０、ハウジング２４０及びドライバユニット２１０を設計することができる。
【０１０６】
なお、音響管２５０の長さＬ（ｍｍ）及び内断面積Ｓ（ｍｍ２）の値を設計する際には、音響管２５０を製作する際の加工精度が考慮されてもよい。例えば、長さＬ（ｍｍ）及び内断面積Ｓ（ｍｍ２）の最小値は、音響管２５０が所定の寸法公差内で作製できる値に制限されてよい。また、ドライバユニット２１０の形状は、ドライバユニット２１０が発生する音声の音響特性に直接的に影響し得る。従って、ドライバユニット２１０を設計する際には、ドライバユニット２１０が発生する音声の音響特性が考慮されてよい。また、ハウジング２４０の形状を設計する際には、音響特性以外の要素、例えばユーザによるヘッドホン２０の装着性やデザイン性も考慮されてよい。例えば、図６に例示するようなカナル型イヤホンであればハウジング２４０の大きさは比較的小さくなるし、例えばいわゆるオーバーヘッド型ヘッドホンであれば、ハウジング２４０の大きさはより大きくなる。このように、ハウジング２４０の形状は、音響特性に加えて、ヘッドホン２０の装着性やデザイン性等を総合的に考慮して設計されてよい。
【０１０７】
（５．変形例）
以上説明したように、本実施形態によれば、低音域の音声がより強調されつつ、中音域の音声の音質がより向上された音響特性を有するヘッドホンが実現される。しかしながら、ユーザの嗜好や周囲の状況に応じて、同一のヘッドホンにおいて音響特性をより自由に調整したいという要望がある。
【０１０８】
一般的に、いわゆるオーバーヘッド型ヘッドホンのような、ドライバユニットを収容するハウジングが比較的大型であるヘッドホンでは、音響特性を調整するための機構（以下、音響特性調整機構と呼称する。）を備えるものが存在する。しかしながら、カナル型イヤホンのような、いわゆるインナーイヤー型ヘッドホンにおいては、ハウジングのサイズが小さいために、音響特性調整機構を設けることが困難であり、音響特性調整機構を備える製品はほとんど存在していない。
【０１０９】
稀に、インナーイヤー型ヘッドホンであっても、音響特性調整機構を備えるものが存在する。しかしながら、これらの音響特性調整機構においては、音響特性を調整するために、例えば、ドライバー等の専用工具を用いてビスを回転させたり、部品を交換したり、といった、比較的煩雑な操作が必要となる。
【０１１０】
上記事情に鑑みれば、インナーイヤー型ヘッドホンのようなハウジングのサイズが比較的小さいヘッドホンにおいても、より容易に音響特性を調整することが可能な技術が求められていた。そこで、本発明者らは、より容易に音響特性を調整することが可能な技術について検討した結果、以上説明した実施形態に係るヘッドホンを利用することにより、比較的簡易な操作によって音響特性を調整することが可能な音響特性調整機構を実現できると考えた。
【０１１１】
以下では、本実施形態の一変形例として、以上説明した実施形態に対して、より簡易な操作によって音響特性を調整することが可能な音響特性調整機構が追加された変形例について説明する。なお、以下に説明する本変形例に係るヘッドホンは、以上説明した実施形態に係るヘッドホンに対して、後述する音響特性調整機構が追加されたものであり、その他の構成は、上記実施形態に係るヘッドホンと略同様であってよい。従って、以下の本変形例についての説明では、既に説明した構成についてはその詳細な説明を省略し、上記実施形態と相違する構成について主に説明する。
【０１１２】
また、本変形例に係るヘッドホンについても、図２に示す音響等価回路４０と同様に、各構成を電気的要素に置き換えることにより、本変形例に係るヘッドホンの特性を表す音響等価回路を生成することが可能である。本変形例に係るヘッドホンの音響等価回路は、図２に示す音響等価回路４０に対して、本変形例において新たに追加された構成部材に対応して一部の要素が変更されたものであり得る。従って、図１及び図６と同様、本変形例に係るヘッドホンの一部の構成部材に付した符号には、音響等価回路４０における要素の記号を付記している。
【０１１３】
（５−１．本変形例に係るヘッドホンの構成）
図１１Ａ−図１５を参照して、本実施形態の一変形例に係るヘッドホンの構成について説明する。図１１Ａ−図１１Ｆは、本実施形態の一変形例に係るヘッドホンの外観を示す６面図である。図１２Ａ及び図１２Ｂは、本変形例に係るヘッドホンの一断面における断面図である。図１３Ａ及び図１３Ｂは、本変形例に係るヘッドホンの他の断面における断面図である。図１４は、本変形例に係るヘッドホンの更に他の断面における断面図である。図１５は、本変形例に係るヘッドホンに搭載されるスイッチ部材の構成を示す斜視図である。
【０１１４】
なお、図１２Ａ及び図１２Ｂは、本変形例に係るヘッドホンの、ｙ−ｚ平面と平行な断面であって、後述する音響管３５０を長手方向に切断する断面における断面図である。また、図１３Ａ及び図１３Ｂは、本変形例に係るヘッドホンの、ｘ−ｚ平面と平行な断面であって、後述する音響管３５０を長手方向に切断する断面における断面図である。また、図１４は、本変形例に係るヘッドホンの、ｘ−ｙ平面と平行な断面であって、後述する音響管３５０を径方向に切断する断面における断面図である。
【０１１５】
また、後述するように、本変形例では、図１５に示すスイッチ部材によって音響特性調整機構が構成され、当該スイッチ部材が操作されることにより、音響特性が調整される。図１２Ａ及び図１２Ｂは、当該スイッチ部材が移動した前後におけるヘッドホンの様子を図示している。同様に、図１３Ａ及び図１３Ｂも、当該スイッチ部材が移動した前後におけるヘッドホンの様子を図示している。
【０１１６】
図１１Ａ−図１４を参照すると、本変形例に係るヘッドホン３０は、ドライバユニット３１０と、当該ドライバユニット３１０を内部に収容するハウジング３４０と、音響特性調整機構３６０と、を備える。なお、図１１Ａ−図１４において図示されているヘッドホン３０は本変形例の説明のために簡略化されており、ヘッドホン３０は、図示されていない構成部材を更に備えてもよい。図示されていない構成部材は、既存の一般的なヘッドホンにおける構成として公知なもので有り得るため、詳細な説明は省略する。
【０１１７】
ドライバユニット３１０は、フレーム３１１、振動板３１２、マグネット３１３、プレート３１４及びボイスコイル３１５を有する。ドライバユニット３１０は、図１及び図６に示すドライバユニット１１０、２１０に対応する。また、フレーム３１１、振動板３１２、マグネット３１３、プレート３１４及びボイスコイル３１５は、図１及び図６に示すフレーム１１１、２１１、振動板１１２、２１２、マグネット１１３、２１３、プレート１１４、２１４及びボイスコイル１１５、２１５に対応する。
【０１１８】
フレーム３１１と振動板３１２との間にはドライバユニット背面空気室３１８が形成される。振動板３１２が振動される際の起振力に対応する要素は、音響等価回路４０における信号源（起電力）Ｖｓに対応する。また、ドライバユニット３１０における質量、機械的な抵抗及びコンプライアンスは、音響等価回路４０におけるインダクタンスＭｏ、抵抗Ｒｏ及び容量Ｃｏにそれぞれ対応する。更に、ドライバユニット背面空気室３１８の容積は、音響等価回路４０における容量Ｃｄに対応する。
【０１１９】
図１２Ａ及び図１２Ｂに示すように、ドライバユニット３１０のフレーム３１１には、フレーム３１１をｚ軸方向に貫通する通気孔３１６が設けられる。通気孔３１６は、図１及び図６に示す通気孔１１６、２１６に対応している。通気孔３１６は、フレーム３１１の略中心に形成されており、ドライバユニット背面空気室３１８とドライバユニット３１０の背面側の空間であってドライバユニット３１０とハウジング３４０とで囲まれる空間（後述する背面空気室３３２）とを空間的に接続する。
【０１２０】
通気孔３１６には、その孔を塞ぐように通気抵抗体３１７が設けられる。通気抵抗体３１７は、図１及び図６に示す通気抵抗体１１７、２１７に対応する。通気抵抗体３１７の空気の流動に対する抵抗成分は、音響等価回路４０における抵抗Ｒｄに対応する。
【０１２１】
ここで、通気抵抗体３１７の材質及び形状は、例えば図３に示すような音圧感度特性を考慮して、所望の音圧感度特性が得られるように適宜設定されてよい。より具体的には、図３を参照して説明したように、通気抵抗体３１７の材質及び形状は、階段状の音圧感度特性が得られる抵抗Ｒｄの値が実現されるように適宜設定され得る。このように、通気抵抗体３１７の材質等、通気抵抗に関する特性は、抵抗Ｒｄがヘッドホン３０の音響特性に及ぼす影響を考慮して適宜選択され得る。その他、通気抵抗体３１７の構成及び機能は、上述した通気抵抗体１１７、２１７と同様であるため、その詳細な説明は省略する。
【０１２２】
なお、図６を参照して説明した通気孔２１６と同様に、本変形例では、通気孔３１６の形成位置及び形成数は、図１２Ａ及び図１２Ｂに示す例に限定されない。フレーム３１１において通気孔３１６が設けられる位置は、通気孔３１６に設けられる通気抵抗体３１７が音響等価回路４０において同様の機能を有する位置であればよく、例えばハウジング３４０内の他の構成部材の配置位置等を考慮して適宜設定されてよい。
【０１２３】
ハウジング３４０は、図１及び図６に示すハウジング１４０、２４０に対応している。ドライバユニット３１０の前面側には、ドライバユニット３１０とハウジング３４０とによって囲まれる空間である前面空気室３２５が形成される。また、ドライバユニット３１０の背面側には、ドライバユニット３１０とハウジング３４０とによって囲まれる空間である背面空気室３３２が形成される。前面空気室３２５の容積及び背面空気室３３２の容積は、音響等価回路４０における容量Ｃｌ及び容量Ｃｂに対応する。
【０１２４】
ハウジング３４０は複数の部材によって構成され得る。図１１Ａ−図１３Ｂに示すように、ハウジング３４０は、ドライバユニット３１０の前面側を覆うフロントハウジング３２０と、ドライバユニット３１０の背面側を覆うリアハウジング３３０と、ケーブル３９１を覆うケーブル用ハウジング３９０と、を接合することによって形成される。
【０１２５】
フロントハウジング３２０の一部領域には、外部に向かって突設される管状の部位である音導管３２４が形成される。音導管３２４は、図１及び図６に示す音導管１２４、２２４に対応する。また、音導管３２４の先端部分の外周には、音導管３２４をユーザの外耳道の内壁に密着させるためのイヤーピース３２６が設けられる。音導管３２４の内部には音声出力用の開口部（図１３Ａ及び図１３Ｂに示す開口部３２１）が設けられており、ユーザが音声を聴くときには、イヤーピース３２６を含む音導管３２４の先端部分がユーザの外耳道に挿入される。このように、本変形例に係るヘッドホン３０は、いわゆるカナル型イヤホンであってよい。
【０１２６】
音導管３２４の内部には、通気抵抗体であるイコライザー３２７が設けられる。イコライザー３２７の材質及び形状を適宜設定することにより、例えば出力される音声について特定の周波数帯域の成分を低減させる等、音質の調整を行うことができる。
【０１２７】
フロントハウジング３２０の隔壁には、ハウジング３４０の内部と外部とを空間的に接続する開口部３２１、３２２が設けられる。開口部３２１、３２２は、図１及び図６に示す開口部１２１、２２１及び開口部１２２、２２２に対応する。開口部３２１は、音声を外部に出力するための開口部であり、上述したように、音導管３２４に対応する位置に設けられる。
【０１２８】
開口部３２２には、その孔を塞ぐように通気抵抗体３２３が設けられる。通気抵抗体３２３は、図１及び図６に示す通気抵抗体１２３、２２３に対応する。通気抵抗体１２３、２２３と同様に、通気抵抗体３２３は、空気をほぼ遮断するようにその材質及び形状が選択される。このように、本変形例では、前面空気室３２５は、開口部３２１以外が外部と空間的に遮断された密閉型の空気室であってよい。通気抵抗体３２３の空気の流動に対する抵抗成分は、音響等価回路４０における抵抗Ｒｌに対応する。
【０１２９】
リアハウジング３３０の隔壁の一部領域には、背面空気室３３２とケーブル用ハウジング３９０の内部空間３９２とを空間的に接続する開口部３３３、３５１が設けられる。開口部３３３は、ケーブル３９１を挿通するための開口部である。音声信号を出力する音響機器（図示せず。）から延伸されたケーブル３９１は、ケーブル用ハウジング３９０の内部空間３９２を経由して、開口部３３３を介してドライバユニット３１０に接続される。なお、図１２Ａ及び図１２Ｂでは、図面が煩雑になることを避けるために、ケーブル３９１が開口部３３３に挿通される様子については図示を省略している。
【０１３０】
図１２Ａ及び図１２Ｂでは、開口部３３３によって、背面空気室３３２と内部空間３９２とが空間的に接続されているように図示されているが、実際には、開口部３３３にケーブル３９１が挿通された後、開口部３３３の残りの空間は、任意の封止材によって気密性を保った状態で塞がれる。このように、ヘッドホン３０においては、背面空気室３３２とケーブル用ハウジング３９０の内部空間３９２とは、開口部３５１によってのみ空間的に接続されている。
【０１３１】
開口部３５１の縁部には、ケーブル用ハウジング３９０の内部空間３９２に向かって管状に突出した管状部３５４が設けられる。管状部３５４は、円筒形状を有するように形成される。管状部３５４は、背面空気室３３２と内部空間３９２とを管を介して空間的に接続する音響管３５０の少なくとも一部の側壁を構成し、開口部３５１は、音響管３５０の中空部を構成し得る。
【０１３２】
管状部３５４の外周部には、中空の円筒形状を有するパッキン３５２が嵌合される。パッキン３５２の内径は、円筒形状の管状部３５４の外径に対応するように形成されており、両者は、気密性を保った状態で嵌合される。図１２Ａ−図１３Ｂに示すように、円筒形状を有するパッキン３５２の一端が管状部３５４に嵌合され、パッキン３５２の他端は内部空間３９２に向かって延伸している。上述したように、管状部３５４とパッキン３５２との嵌合部は気密性が保たれているため、管状部３５４及びパッキン３５２は、一体的な管として機能し得る。このように、本変形例では、管状部３５４及びパッキン３５２によって音響管３５０が構成され得る。音響管３５０は、図１及び図６に示す音響管１５０、２５０に対応するものである。
【０１３３】
音響管３５０は、音響管３５０内を通過する空気の流動に対して所定のインダクタンス成分となり得る長さ及び内断面積を有するように形成される。空気の流動に対する音響管３５０のインダクタンス成分は、音響等価回路４０において、音響特性に作用するインダクタンスＭｂとして機能する。
【０１３４】
音響管３５０の長さ及び内断面積は、例えば図３に示すような音圧感度特性を考慮して、所望の音圧感度特性が得られるように適宜設定されてよい。具体的には、図３を参照して説明したように、音響管３５０の長さ及び内断面積は、反共振が生じる共振周波数が所望の周波数帯域に位置するようなインダクタンスＭｂの値が実現されるように適宜設定され得る。例えば、音響管３５０の形状は、上記（４．音響管の設計方法）で説明した手法に従って設計されてよい。このように設計された音響管３５０が設けられることにより、ヘッドホン３０においては、上述した実施形態に係るヘッドホン１０、２０と同様に、例えば図３を参照して説明したような階段状の音圧感度特性を実現することができる。
【０１３５】
パッキン３５２は、例えば天然ゴム、合成ゴム、樹脂系材料等、一般的にパッキン（シール部材）として用いられる各種の弾性材料によって形成され得る。このように、パッキン３５２は弾性体であり得る。
【０１３６】
図１２Ａ−図１３Ｂに示すように、リアハウジング３３０の隔壁の一部領域は、パッキン３５２の外周部と接触するように内部空間３９２に向かって延伸されている。パッキン３５２の外周部と当該延伸された部位との接触面は、例えば超音波等を用いて溶着される。これにより、パッキン３５２がリアハウジング３３０の隔壁に対して確実に固定されることとなり、管状部３５４とパッキン３５２との嵌合部における気密性をより高めることができる。
【０１３７】
また、パッキン３５２の、内部空間３９２に延伸している部位の外周部には、円環形状を有する支持部材３５３が嵌合される。支持部材３５３は、パッキン３５２を管状部３５４に向かって（すなわち、図中ｚ軸の正方向に向かって）押し付けるように、パッキン３５２に取り付けられる。これにより、パッキン３５２がリアハウジング３３０の隔壁に対してより確実に固定されるとともに、管状部３５４とパッキン３５２とがより密着することとなり、管状部３５４とパッキン３５２との嵌合部における気密性を更に高めることができる。
【０１３８】
ここで、本変形例では、ケーブル用ハウジング３９０の内部空間３９２は、ハウジング３４０の外部（すなわち、ヘッドホン３０の外部）と空気の流動に対してほぼ抵抗がない状態で接続されている。従って、音響管３５０は、背面空気室３３２とハウジング３４０の外部（すなわち、ヘッドホン３０の外部）とを管を介して接続するものであると言える。なお、このような構成を実現するために、本変形例では、例えばケーブル用ハウジング３９０の隔壁に空気の流動に対してほぼ抵抗となり得ない大きさを有する開口部が設けられたり、リアハウジング３３０とケーブル用ハウジング３９０との接合部分が気密性を考慮することなく簡易な方法で接合されたりしてよい。
【０１３９】
また、本変形例では、上述したように、開口部３３３はケーブル３９１を挿通した後に塞がれるため、背面空気室３３２は、音響管３５０における通気以外が内部空間３９２（すなわち、ヘッドホン３０の外部）と空間的に遮断されるように構成される。このような構成を実現するために、フロントハウジング３２０とリアハウジング３３０との接合部分は、例えば接着剤等により気密が保たれた状態で接合される。
【０１４０】
以上説明したように、本変形例に係るヘッドホン３０では、音響管３５０が設けられることにより、上述した実施形態に係るヘッドホン１０、２０と同様の、階段状の音圧感度特性が実現される。ただし、本変形例に係るヘッドホン３０には、当該音響管３５０の特性を変化させることによりヘッドホン３０の音響特性を調整する音響特性調整機構３６０が更に備えられる。
【０１４１】
音響特性調整機構３６０は、スイッチ部材３６１によって構成される。スイッチ部材３６１は、図１５に示すように、略平板形状を有する操作部３６２と、操作部３６２の平板形状の平面と略平行な方向に突出した略円筒形状を有するボス３６３と、から構成される。
【０１４２】
図１２Ａ−図１４に示すように、スイッチ部材３６１は、ボス３６３がパッキン３５２の開口部３５６（すなわち、音響管３５０の開口部３５６）に挿入され、操作部３６２がハウジング３４０の外部に位置するように、ハウジング３４０に対して取り付けられる。また、スイッチ部材３６１は、上記の状態で、ボス３６３の突出方向（図中のｚ軸方向）に平行移動可能にハウジング３４０に対して取り付けられる。すなわち、スイッチ部材３６１の平行移動により、ボス３６３がパッキン３５２の開口部３５６に挿抜される。
【０１４３】
ここで、図１２Ａ−図１５に示すように、ボス３６３の長手方向における一部領域には、径方向に突出した突出部３６４が設けられている。そして、ボス３６３及び突出部３６４は、ボス３６３の外径はパッキン３５２の内径よりも小さいが、突出部３６４の外径はパッキン３５２の内径よりも大きくなるように構成されている。
【０１４４】
ボス３６３の外径、突出部３６４の外径及びパッキン３５２の内径が、このような大小関係を満たすように形成されることにより、ボス３６３がパッキン３５２の開口部３５６に挿入される際に、ボス３６３の突出部３６４が、弾性体であるパッキン３５２の開口部３５６に圧入されることとなる。従って、当該突出部３６４が、パッキン３５２の開口部３５６の内壁の全周囲に圧接されることとなり、当該開口部３５６における通気がより確実に行われないように、当該開口部３５６が塞がれることとなる。
【０１４５】
ここで、本変形例では、ボス３６３がパッキン３５２の開口部３５６から引き抜かれる際に、ボス３６３がパッキン３５２の開口部３５６から完全に引き抜かれず、ボス３６３の先端が僅かにパッキン３５２の開口部３５６内に位置するように、ボス３６３の長さが調整されている（図１２Ｂ及び図１３Ｂ参照。）。そして、突出部３６４のボス３６３の長手方向における形成位置は、ボス３６３がパッキン３５２の開口部３５６から引き抜かれる際に、少なくとも突出部３６４がパッキン３５２の開口部３５６から引き抜かれるように、調整されている。つまり、ボス３６３がパッキン３５２の開口部３５６から引き抜かれた際には、ボス３６３の先端はパッキン３５２の開口部３５６内に位置するものの、ボス３６３の突出部３６４は、弾性体であるパッキン３５２の開口部３５６に圧入されず、パッキン３５２の開口部３５６における通気は保たれることとなる。
【０１４６】
なお、図１４及び図１５に示すように、円柱形状のであるボス３６３の側面には、当該円柱の長手方向に沿った切り欠きが形成されている。従って、ボス３６３がパッキン３５２の開口部３５６から引き抜かれた際に、ボス３６３の先端が僅かにパッキン３５２の開口部３５６に挿入されている状態であっても、当該切り欠きにより、パッキン３５２の開口部３５６における通気が、スイッチ部材３６１がない場合とほぼ同様に保たれ得る。
【０１４７】
例えば、ユーザは、指を操作部３６２の上面に押し付けた状態で、スイッチ部材３６１を、ｚ軸方向に移動させるように操作することができる。当該操作により、ボス３６３の、パッキン３５２の開口部３５６への挿入長さが調整されることとなる。図１２Ａ及び図１３Ａでは、スイッチ部材３６１がｚ軸の正方向に移動し、ボス３６３がパッキン３５２の開口部３５６に対して挿入され、突出部３６４によって当該開口部３５６が塞がれ、音響管３５０における通気が行われない状態（以下、当該状態をＣＬＯＳＥ状態とも呼称する。）が図示されている。また、図１２Ｂ及び図１３Ｂでは、スイッチ部材３６１がｚ軸の負方向に移動し、ボス３６３の突出部３６４がパッキン３５２の開口部３５６から引き抜かれ、音響管３５０における通気が確保された状態（以下、当該状態をＯＰＥＮ状態とも呼称する。）が図示されている。
【０１４８】
ＯＰＥＮ状態では、音響管３５０における通気が確保されているため、音響管３５０は、上記実施形態における音響管１５０、２５０と同様の特性を有する。従って、ＯＰＥＮ状態では、ヘッドホン３０において、上記実施形態と同様に階段状の音圧感度特性が実現される。
【０１４９】
一方、ＣＬＯＳＥ状態では、音響管３５０における通気が妨げられた状態となる。従って、音響管３５０が、背面空気室３３２と内部空間３９２とを空間的に接続する管として機能せず、ヘッドホン３０は、階段状の音圧感度特性とは異なる音響特性を有することとなる。具体的には、音響管３５０における通気が確保されないことにより、ドライバユニット３１０の振動板３１２の動作が抑制され、通気がある場合に比べて、低音域の音圧感度が大幅に下がる。なお、ＯＰＥＮ状態及びＣＬＯＳＥ状態における音響特性の違いについては、下記（５−２．本変形例に係るヘッドホンの音響特性）で詳しく説明する。
【０１５０】
このように、本変形例では、音響特性調整機構３６０は、音響管３５０における通気を変化させることにより、ヘッドホン３０の音響特性を調整する機能を有する。具体的には、スイッチ部材３６１のボス３６３が、パッキン３５２の開口部３５６（すなわち、音響管３５０の開口部３５６）に挿抜されることにより、音響管３５０における通気が調整され、ヘッドホン３０の音響特性が調整される。また、ボス３６３の突出部３６４が、弾性体であるパッキン３５２に圧入される構成を取ることにより、音響管３５０における通気が確保された状態（ＯＰＥＮ状態）と通気が行われない状態（ＣＬＯＳＥ状態）とを、より確実に切り替えることが可能となる。
【０１５１】
ここで、上述したように、本変形例では、ＯＰＥＮ状態であっても、ボス３６３の先端が僅かにパッキン３５２の開口部３５６内に位置するように、ボス３６３の長さが調整されている。これは、ＯＰＥＮ状態において、ボス３６３の先端がパッキン３５２の開口部３５６から完全に抜けてしまうと、次にユーザがスイッチ部材３６１を操作し、ボス３６３を当該開口部３５６に挿入しようとする際に、例えばボス３６３の先端が当該開口部３５６の縁部等に接触することにより、スムーズな挿入が妨げられる可能性があるからである。スムーズな挿入が行われないと、ユーザの操作性が低下する恐れがある。本変形例では、ＯＰＥＮ状態であってもボス３６３がパッキン３５２の開口部３５６から完全に抜けないように、ボス３６３の長さが調整されることにより、ボス３６３の当該開口部３５６へのスムーズな挿入が可能となり、ユーザの操作性を向上させることができる。
【０１５２】
また、図１２Ａ−図１５に示すように、パッキン３５２の開口部３５６の内壁の長手方向における一部領域には、径方向に向かって突出する突出部３５５が設けられている。突出部３５５は、図示するように、好適にパッキン３５２の開口部３５６の、スイッチ部材３６１のボス３６３が挿入される側の先端に設けられる。これにより、ＯＰＥＮ状態からＣＬＯＳＥ状態へ移行する途中及びＣＬＯＳＥ状態からＯＰＥＮ状態へ移行する途中で、ボス３６３の突出部３６４が、パッキン３５２の開口部３５６の突出部３５５を乗り越えるように移動する、すなわち、ボス３６３の突出部３６４と、パッキン３５２の開口部３５６の突出部３５５とが、係合し擦れ合うことになる。
【０１５３】
従って、ユーザがスイッチ部材３６１を操作する際に、ボス３６３の突出部３６４が、パッキン３５２の開口部３５６の突出部３５５を通過した感触が、ユーザに対して与えられる。ユーザは、当該感触に基づいて、ＯＰＥＮ状態からＣＬＯＳＥ状態への移行及びＣＬＯＳＥ状態からＯＰＥＮ状態への移行を感知することができ、現在の状態がいずれの状態であるのかを把握することができる。
【０１５４】
以上、図１１Ａ−図１５を参照して、本実施形態の一変形例に係るヘッドホン３０の構成について説明した。以上説明したように、本変形例によれば、音響管３５０の特性を変化させることによりヘッドホン３０の音響特性を調整する音響特性調整機構３６０が設けられる。本変形例によれば、音響特性調整機構３６０によって、音響管３５０における通気が確保された状態であるＯＰＥＮ状態と、音響管３５０における通気が行われない状態であるＣＬＯＳＥ状態と、を切り替えることにより、ヘッドホン３０の音響特性を調整することができる。
【０１５５】
例えば、音響特性調整機構３６０は、音響管３５０における通気を調整する機能を有するスイッチ部材３６１によって構成される。スイッチ部材３６１は、ボス３６３が音響管３５０に挿抜されることにより音響管３５０における通気が調整されるという、比較的簡易な構成を有する。また、スイッチ部材３６１は、ユーザによって手動で動かされるものであるため、電源等のスイッチ部材３６１を駆動するための他の構成も不要である。本変形例では、スイッチ部材３６１のような比較的簡易な構成によって音響特性調整機構３６０を構成することにより、インナーイヤー型ヘッドホンのようなハウジングのサイズが比較的小さいヘッドホンであっても、音響特性調整機構３６０を搭載することが可能となる。
【０１５６】
また、本変形例によれば、ユーザは、スイッチ部材３６１をスライドさせるという比較的簡易な操作によってヘッドホン３０の音響特性を調整することができる。また、ユーザは、スイッチ部材３６１の位置によって、現在の状態（ＯＰＥＮ状態又はＣＬＯＳＥ状態）を容易に把握することができる。このように、本変形例によれば、ユーザの操作性及び使用性を向上させることができる。
【０１５７】
なお、以上説明したように、図１１Ａ−図１４に示す例では、リアハウジング３３０の隔壁の一部が突出して形成される管状部３５４に、円筒形状のパッキン３５２の一端が嵌合されることにより、当該管状部３５４及び当該パッキン３５２によって音響管３５０が構成されているが、本変形例はかかる例に限定されない。音響管３５０としては、例えば、図１に示す音響管１５０や図６に示す音響管２５０のような、他の構成が適用されてもよい。
【０１５８】
例えば、管状部３５４の長さがより長く形成され、管状部３５４によって音響管３５０が構成されてもよい。すなわち、パッキン３５２が設けられなくてもよい。この場合、図１に示す音響管１５０と同様に、音響管３５０は、リアハウジング３３０と一体的に形成されることとなる。ここで、音響管３５０の開口部３５６をより確実に塞ぎ、通気が行われない状態にするためには、音響管３５０及び当該音響管３５０の開口部３５６を塞ぐ部材（上記の例ではボス３６３）のいずれか一方が弾性体によって形成され、一方が他方に対して圧入されることが望ましい。従って、音響管３５０が図１に示す音響管１５０と同様の構成を有する場合には、例えば、スイッチ部材３６１のボス３６３が弾性体によって形成され、弾性体からなるボス３６３が音響管３５０に圧入されることが好ましい。あるいは、スイッチ部材３６１が、一端が封止され他端が開放された弾性体からなる円筒形状の部材を有し、当該円筒形状の部材の開放端に、音響管３５０の先端が圧入されることにより、音響管３５０の開口部３５６が塞がれてもよい。
【０１５９】
また、音響管３５０は、図６に示す音響管２５０と同様に、リアハウジング３３０の隔壁に形成された突出部を有さない開口部に対して管状の部材が挿通されることにより構成されてもよい。このように、音響管３５０としては、例えば図１に示す音響管１５０や、図６に示す音響管２５０のような、他の構成も適用され得る。
【０１６０】
また、本変形例では、音響特性調整機構３６０の構成は、上述した例に限定されない。音響特性調整機構３６０は、多様な構成を取り得る。音響特性調整機構３６０の他の構成例については、下記（５−３．音響特性調整機構の他の構成例）で詳しく説明する。
【０１６１】
（５−２．本変形例に係るヘッドホンの音響特性）
図１６を参照して、本変形例に係るヘッドホン３０の音響特性について説明する。図１６は、本変形例に係るヘッドホン３０の音圧感度特性を示すグラフ図である。図１６では、横軸に周波数を取り、縦軸に音圧感度を取り、図２に示す音響等価回路４０と同様の、ヘッドホン３０に対応する音響等価回路の解析結果から得られた、当該ヘッドホン３０における音圧感度特性をプロットしている。
【０１６２】
図１６を参照すると、音圧感度特性を表す２本の曲線が図示されている。図中に実線で示す曲線Ｊは、ＯＰＥＮ状態、すなわち音響管３５０の通気が確保されている状態における、本変形例に係るヘッドホン３０の音圧感度特性を示す。図中に点線で示す曲線Ｋは、ＣＬＯＳＥ状態、すなわち音響管３５０における通気が行われていない状態における、本変形例に係るヘッドホン３０の音圧感度特性を示す。
【０１６３】
曲線Ｊに示すように、ＯＰＥＮ状態であるヘッドホン３０では、図９に示す曲線Ｄと同様に、階段状の音圧感度特性（すなわち、低音域における音圧感度が比較的高く、低音域から中音域に掛けて比較的急峻に音圧感度が低下し、中音域における音圧感度の変動が比較的小さい音圧感度特性）が得られている。一方、ＣＬＯＳＥ状態であるヘッドホン３０の音圧感度特性を示す曲線Ｋを参照すると、曲線Ｊに比べて、低音域の音圧感度が大幅に低下していることが分かる。これは、ＣＬＯＳＥ状態では、音響管３５０における通気がほぼ行われないため、背面空気室３３２内の空気量が制限され、ドライバユニット３１０の振動板３１２の動作が抑制されるためであると考えられる。
【０１６４】
以上、図１６を参照して、本変形例に係るヘッドホン３０の音響特性について説明した。以上説明したように、本変形例に係るヘッドホン３０では、音響特性調整機構３６０を設けることにより、互いに異なる複数の音響特性を、ユーザの嗜好や周囲の状況に応じて、適宜切り替えることができる。具体的には、音響特性調整機構３６０により、低音域の音圧感度特性を調整することができる。
【０１６５】
従って、例えば、電車内のような、騒音が大きく、低音が聞こえにくい状況では、ヘッドホン３０をＯＰＥＮ状態にすることにより、低音域の音圧感度をより高くし、低音をより強調させることができる。逆に、周囲の騒音がそれ程大きくない場所では、ヘッドホン３０をＣＬＯＳＥ状態にすることにより、低音域の音圧感度を低下させ、低音が必要以上に強調されないようにすることができる。
【０１６６】
また、上述したように、ヘッドホン３０では、スイッチ部材３６１をスライドさせるという、比較的簡易な操作によって、ＯＰＥＮ状態とＣＬＯＳＥ状態との切り替えを行うことができる。従って、ユーザは、周囲の状況の変化に応じて、より気軽に、より素早く、上記のような音響特性の調整を行うことができる。
【０１６７】
ここで、曲線Ｋと曲線Ｊとを比較すると、中音域及び高音域、特に周波数が１（ｋＨｚ）以上の周波数帯域では、両者はほぼ同様の音圧感度特性を示していることが分かる。このように、本変形例に係るヘッドホン３０では、音響特性調整機構３６０を用いて音響特性を切り替えたとしても、ヒトの声（例えばボーカル等）に関係する音域である中音域及び高音域における音圧感度特性はほぼ変化しない。中音域や高音域の音圧感度特性が大きく変化してしまうと、ユーザが感じる音質の変化が顕著になり過ぎてしまい、ユーザに違和感を与える可能性がある。しかしながら、本変形例では、上記のように、音響特性調整機構３６０によって、主に低音域の音圧感度特性のみが調整されるため、ユーザに違和感を与えるような音響特性の変化は生じない。
【０１６８】
ここで、本変形例に係るヘッドホン３０は、ＯＰＥＮ状態においては、上記（３．本実施形態に係るヘッドホンの音響特性）で説明したような、音響管３５０を有することによる利点を当然享受することができる。音響管３５０を有することによる利点とは、例えば、密閉型のヘッドホンにおいて、低音域と中音域との音圧感度差及び当該音圧感度差を生じさせる周波数帯域が調整可能となるため、音響特性の調整可能範囲が広がり、特に低音域と中音域との音圧感度差の大きいメリハリのある音質を実現できることである。本変形例に係るヘッドホン３０は、このような音響管３５０を有することによる利点を維持しつつ、必要に応じて音響特性をより容易に変更可能とするものである。
【０１６９】
（５−３．音響特性調整機構の他の構成例）
本変形例に係る音響特性調整機構３６０は、上記（５−１．本変形例に係るヘッドホンの構成）で説明した構成以外にも、多様な構成を取り得る。ここでは、音響特性調整機構の他の構成例について説明する。
【０１７０】
例えば、上記で説明した音響特性調整機構３６０は、スイッチ部材３６１によって構成されており、ＯＰＥＮ状態又はＣＬＯＳＥ状態の２つの状態を切り替えることにより、ヘッドホン３０の音響特性を２段階に調整する機能を有しているが、本変形例はかかる例に限定されない。音響特性調整機構３６０は、多段階又は連続的に、ヘッドホン３０の音響特性を調整する機能を有していてもよい。このために、例えば、音響特性調整機構３６０は、多段階又は連続的に、音響管３５０の特性を変化させる機能を有する。
【０１７１】
例えば、音響特性調整機構３６０は、多段階又は連続的に、音響管３５０における通気量を変化させることにより、多段階又は連続的に、ヘッドホン３０の音響特性を調整してもよい。
【０１７２】
例えば、ボス３６３の外周部に、長手方向における長さが互いに異なる複数の切り欠きが形成されてよい。これにより、ボス３６３のパッキン３５２の開口部３５６への挿入長さに応じて、音響管３５０における通気に寄与する切り欠きの数が変化する、すなわち、音響管３５０における通気量が変化することとなり、段階的な音響管３５０の通気の調整が可能になる。
【０１７３】
また、当該構成に対しては、更に、切り欠きの長さに応じて、ボス３６３の突出部３６４及びパッキン３５２の突出部３５５のいずれか一方が、長手方向において所定の間隔を有して複数設けられてもよい。これにより、ボス３６３がパッキン３５２の開口部３５６に１度挿入される又はボス３６３がパッキン３５２の開口部３５６から１度引き抜かれる間に、ボス３６３の突出部３６４と、パッキン３５２の突出部３５５との接触が、複数回行われる。従って、スイッチ部材３６１の移動方向における位置が、段階的に変化することとなる。この際、スイッチ部材３６１の移動方向における位置の段階的な変化が、切り欠きの長さの違いによる通気量の段階的な変化に連動している（例えば、スイッチ部材３６１が１段階移動した状態では１つの切り欠きによって通気が行われ、スイッチ部材３６１が２段階移動した状態では２つの切り欠きによって通気が行われる等）ため、ユーザは、スイッチ部材３６１の移動方向における位置によって、音響管３５０における通気量の段階的な変化を把握することが可能になる。
【０１７４】
また、例えば、ボス３６３の切り欠きが、テーパ状に（すなわち、長手方向において切り欠き量が徐々に変化するように）形成されてもよい。これにより、ボス３６３の、パッキン３５２の開口部３５６への挿入量に応じて、音響管３５０における通気量を連続的に調整することが可能になる。
【０１７５】
また、例えば、ボス３６３の外周部及びパッキン３５２の開口部３５６の内壁に、ねじ山が切られており、ボス３６３は、パッキン３５２の開口部３５６に螺合しながら、当該開口部３５６に挿抜されてもよい。この場合、音響特性調整機構３６０は、スイッチ部材３６１のように一方向にスライドする機構を有する部材ではなく、ボス３６３を、その長手方向を回転軸方向として回転させる機構を有する部材によって構成され得る。ボス３６３の、パッキン３５２の開口部３５６への挿抜が、ねじによって行われることにより、ボス３６３の、パッキン３５２の開口部３５６への挿入量を一定の割合で連続的に変化させることが可能となる。当該ねじの機構とともに、例えば上述したボス３６３の切り欠きがテーパ状に形成される構成を設けることにより、音響管３５０における通気量を連続的に変化させることが可能になる。
【０１７６】
ここで、音響特性調整機構３６０は、音響管３５０における通気量以外の要素を変化させることにより、当該音響管３５０の特性を変化させてもよい。上述したように、音響管３５０は、音響等価回路においてはインダクタンスＭｂとして機能する。また、当該インダクタンスＭｂの値は、音響管３５０の長さ及び内断面積（すなわち内径）に依存している。従って、音響特性調整機構３６０は、音響管３５０の長さ及び内径を変化させる機構を有し、当該長さ及び当該内径を変化させることにより音響管３５０のインダクタンスＭｂを変化させ、ヘッドホン３０の音響特性を調整してもよい。
【０１７７】
図１７を参照して、このような、音響管３５０の長さ及び内径を変化させる機構を有する音響特性調整機構３６０の一構成例について説明する。図１７は、音響管３５０の長さ及び内径を変化させる機構を有する音響特性調整機構３６０について説明するための説明図である。
【０１７８】
図１７を参照すると、本構成例に係る音響管４５０は、第１の管４５１に、第２の管４５２が内挿されて構成される。他の構成部材の図示は省略しているが、音響管４５０は、ヘッドホンの背面空気室３３２と外部とを管を介して空間的に接続しており、図１、図６及び図１２Ａ−図１４に示す音響管１５０、２５０、３５０と同様の機能を有するものである。
【０１７９】
第１の管４５１は、ヘッドホンの背面空気室を形成するハウジングの隔壁の一部領域から外部に向かって突出して設けられ得る。第２の管４５２は、その外径が、第１の管４５１の内径よりも僅かに小さく形成されており、第１の管４５１に挿入された状態で、当該挿入方向に移動可能に構成されている。
【０１８０】
第２の管４５２が、第１の管４５１に対してより奥まで挿入された場合（第２の管４５２が図中の下方向に移動した場合）には、音響管４５０の長さはより短くなり、内径はより小さくなると言える。逆に、第２の管４５２が、第１の管４５１から引き抜かれるように移動した場合（第２の管４５２が図中の上方向に移動した場合）には、音響管４５０の長さはより長くなり、内径はより大きくなると言える。
【０１８１】
このように、本構成例では、第２の管４５２をその挿入方向に移動させることにより、音響管４５０の長さ及び内径を変化させることができ、音響管４５０が設けられるヘッドホンの音響特性を調整することが可能となる。本構成例では、音響管４５０自体に音響特性調整機構が一体的に設けられていると言える。
【０１８２】
なお、図１７に示す構成例において、音響管４５０は、第１の管４５１に対して第２の管４５２が外挿されて構成されてもよい。この場合、第２の管４５２は、その内径が、第１の管４５１の外径よりも僅かに大きく形成されており、第１の管４５１が第２の管４５２に挿入された状態で、外側の第２の管４５２が、当該挿入方向に移動可能であり得る。当該構成であっても、図１７に示す音響管４５０と同様に、第２の管４５２をその挿通方向に移動させることにより、音響管４５０の長さ及び内径を変化させることができる。
【０１８３】
以上、音響特性調整機構３６０の他の構成例について説明した。ただし、上述した構成例は、あくまで、音響特性調整機構３６０が取り得るいくつかの構成を例示したものであり、音響特性調整機構３６０の構成は、以上説明した構成例に限定されない。音響特性調整機構３６０は、音響管３５０の特性を変化させるものであればよく、その具体的な構成は任意であってよい。
【０１８４】
（６．補足）
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１８５】
また、本明細書に記載された効果は、あくまで説明的又は例示的なものであって限定的ではない。つまり、本開示に係る技術は、上記の効果とともに、または上記の効果に代えて、本明細書の記載から当業者には明らかな他の効果を奏しうる。
【０１８６】
例えば、上記では、本実施形態に係るヘッドホンがカナル型イヤホンである場合を例に挙げて説明を行ったが、本技術はかかる例に限定されない。本実施形態に係るヘッドホンは、他の形式のヘッドホンであってもよい。例えば、本実施形態に係るヘッドホンは、密閉型の前面空気室を有する、いわゆるオーバーヘッド型ヘッドホンであってもよい。ここで、オーバーヘッド型ヘッドホンとは、本実施形態に係る音響管が設けられたドライバユニットを収容するハウジングを１対備え、当該１対のハウジングはアーチ状に湾曲された支持部材によって互いに連結され、ハウジングに設けられる音声を外部に向かって出力する開口部がユーザの耳と対向するように、当該支持部材によってユーザの頭部に装着されるヘッドホンのことである。本実施形態に係るヘッドホンがオーバーヘッド型ヘッドホンである場合には、カナル型イヤホンに比べてハウジング及びドライバユニットは大型化することが想定される。その場合、ハウジング及びドライバユニットの特性の変化に応じて、音響等価回路における各要素の値を適宜変更することにより、以上説明した方法と同様の方法によって音響管の形状を設計でき、音響特性を向上させることができる。
【０１８７】
また、上記では、本実施形態に係る音響管には、通気抵抗体等の抵抗成分となり得る部材が設けられていないが、本技術はかかる例に限定されない。本実施形態に係る音響管には、管内の空気の流動に対して抵抗成分として作用する通気抵抗体が設けられてもよい。音響管に通気抵抗体を設けられることにより、図２に示す音響等価回路において抵抗成分が更に付与されることとなり、ヘッドホンの音響特性が変化し得る。本実施形態では、音響管に通気抵抗体を設け、通気抵抗体の材質や形状を適宜設定することにより、ヘッドホンの音響特性が更に調整されてもよい。
【０１８８】
また、本実施形態に係るヘッドホンのハウジングの内部には、例えば図６及び図１２Ａ−図１３Ｂに示す構成以外にも、当該ヘッドホンの用途に応じて、他の構成部材が適宜備えられてもよい。例えば、上記では、ヘッドホンがドライバユニットを１つだけ備える場合について説明したが、本実施形態はかかる例に限定されない。例えば、本実施形態に係るヘッドホンは、ハウジング内に複数のドライバユニットが搭載された、いわゆるマルチウェイ方式のヘッドホンであってよい。本実施形態では、このようにハウジング内に備えられる構成部材が変化した場合であっても、当該変化に応じて音響等価回路における各要素またはその値を適宜変更することにより、以上説明した方法と同様の方法によって音響管の形状を設計することが可能である。
【０１８９】
なお、以下のような構成も本開示の技術的範囲に属する。
（１）振動板を有するドライバユニットと、前記ドライバユニットを収容し、前記ドライバユニットの前記振動板が設けられる前面側に音声出力用の開口部以外が外部と空間的に遮断された密閉型の前面空気室を形成するとともに、前記前面側の逆側である背面側に所定の容量を有する背面空気室を形成するハウジングと、前記背面空気室を構成する前記ハウジングの隔壁の一部領域に設けられ、前記背面空気室と前記ハウジングの外部とを管を介して空間的に接続する音響管と、を備える、ヘッドホン。
（２）前記ヘッドホンの音響等価回路において、少なくとも前記背面空気室の容量成分に対応する音響容量と、前記音響管のインダクタンス成分に対応する音響インダクタンスと、によって、所定の共振周波数において反共振を生じさせる並列共振回路が形成される、前記（１）に記載のヘッドホン。
（３）前記音響容量は、前記ドライバユニットのフレームと前記振動板との間に形成されるドライバユニット背面空気室の容量成分を更に含む、前記（２）に記載のヘッドホン。
（４）前記共振周波数は、前記音響インダクタンスの値及び前記音響容量の値に少なくとも基づいて決定される、前記（２）又は（３）に記載のヘッドホン。
（５）前記ドライバユニットのフレームには、当該フレームと前記振動板との間に形成されるドライバユニット背面空気室と、前記背面空気室と、を空間的に接続する通気孔が設けられ、前記通気孔には、前記ヘッドホンの音響等価回路において抵抗として振る舞う通気抵抗体が設けられ、所定の周波数帯域における前記ヘッドホンの音圧感度は、前記音響等価回路における前記通気抵抗体の抵抗成分に対応する音響抵抗の値に少なくとも基づいて決定される、前記（１）〜（４）のいずれか１項に記載のヘッドホン。
（６）所定の周波数帯域における前記ヘッドホンの音圧感度は、少なくとも前記背面空気室の容量成分に対応する音響容量の値と、前記音響等価回路における前記音響管のインダクタンス成分に対応する音響管インダクタンスの値と、前記音響抵抗の値と、に少なくとも基づいて決定される、前記（５）に記載のヘッドホン。
（７）前記背面空気室は、前記音響管における通気以外が外部と空間的に遮断される、前記（１）〜（６）のいずれか１項に記載のヘッドホン。
（８）前記音響インダクタンスの値は、前記音響管の長さ及び内断面積に応じて決定され、前記音響管の長さ及び内断面積は、前記共振周波数が３５０（Ｈｚ）〜６５０（Ｈｚ）の間の値になるように設定される、前記（４）に記載のヘッドホン。
（９）前記音響管において、前記長さの前記内断面積に対する比率は、１３（１／ｍｍ）〜４５（１／ｍｍ）である、前記（８）に記載のヘッドホン。
（１０）前記ハウジングと前記音響管とは一体的に形成される、前記（１）〜（９）のいずれか１項に記載のヘッドホン。
（１１）前記ハウジングの前記背面空気室を構成する隔壁の一部領域には、前記背面空気室と前記ハウジングの外部とを空間的に接続する開口部が設けられ、前記音響管は、管状の部材が当該開口部に接続されることにより構成される、前記（１）〜（９）のいずれか１項に記載のヘッドホン。
（１２）前記ドライバユニットはダイナミック型ドライバユニットである、前記（１）〜（１１）のいずれか１項に記載のヘッドホン。
（１３）前記ハウジングの前記前面空気室を構成する領域の一部位には、外部に向かって突出する管状の部位である音導管が形成され、前記音声出力用の開口部は、前記音導管の先端部に設けられ、前記ヘッドホンは、前記音導管の先端部分がユーザの外耳道に挿入されるカナル型イヤホンである、前記（１）〜（１２）のいずれか１項に記載のヘッドホン。
（１４）前記ヘッドホンは、前記ドライバユニットを収容する前記ハウジングを１対備え、１対の前記ハウジングはアーチ状に湾曲された支持部材によって互いに連結され、前記ヘッドホンは、前記ハウジングの前記音声出力用の開口部がユーザの耳と対向するように、前記支持部材によってユーザの頭部に装着される、オーバーヘッド型ヘッドホンである、前記（１）〜（１２）のいずれか１項に記載のヘッドホン。
（１５）前記音響管の特性を変化させることにより前記ヘッドホンの音響特性を調整する音響特性調整機構、を更に備える、前記（１）〜（１４）のいずれか１項に記載のヘッドホン。
（１６）前記音響特性調整機構は、前記音響管における通気を変化させることにより、前記ヘッドホンの音響特性を調整する、前記（１５）に記載のヘッドホン。
（１７）前記音響特性調整機構は、前記音響管に挿抜されるボスを有するスイッチ部材によって構成され、前記スイッチ部材の平行移動により、前記ボスが前記音響管に挿抜され、前記音響管における通気が調整される、前記（１６）に記載のヘッドホン。
（１８）前記音響管の、少なくとも一部領域は、弾性体によって形成され、前記ボスが、前記音響管の前記弾性体からなる領域に圧入されることにより、前記音響管における通気が妨げられる、前記（１７）に記載のヘッドホン。
（１９）前記ボスの長手方向における一部領域には、径方向に突出する第１の突出部が形成され、前記音響管の内壁の長手方向における一部領域には、径方向に突出する第２の突出部が形成され、前記ボスが前記音響管に挿抜される際には、前記第１の突出部と前記第２の突出部とが係合し擦れ合う、前記（１７）又は（１８）に記載のヘッドホン。
（２０）振動板を有するドライバユニットをハウジング内に収容し、前記ハウジングと前記ドライバユニットの前記振動板が設けられる前面側との間に音声出力用の開口部以外が外部と空間的に遮断された密閉型の前面空気室を形成するとともに、前記前面側の逆側である背面側に所定の容量を有する背面空気室を形成することと、前記背面空気室を構成する前記ハウジングの隔壁の一部領域に設けられ、前記背面空気室と前記ハウジングの外部とを管を介して空間的に接続する音響管を設けることと、を含む、音響特性調整方法。
【符号の説明】
【０１９０】
１０、２０、３０    ヘッドホン
４０    音響等価回路
１１０、２１０、３１０    ドライバユニット
１１６、２１６、３１６    通気孔
１１７、２１７、３１７    通気抵抗体
１１８、２１８、３１８    ドライバユニット背面空気室
１２０、２２０、３２０    フロントハウジング
１２５、２２５、３２５    前面空気室
１３０、２３０、３３０    リアハウジング
１３２、２３２、３３２    背面空気室
１４０、２４０、３４０    ハウジング
１５０、２５０、３５０    音響管
３６０    音響特性調整機構
【図１】
0006459974.tif 000006
【図２】
0006459974.tif 000007
【図３】
0006459974.tif 000008
【図４Ａ】
0006459974.tif 000009
【図４Ｂ】
0006459974.tif 000010
【図４Ｃ】
0006459974.tif 000011
【図４Ｄ】
0006459974.tif 000012
【図４Ｅ】
0006459974.tif 000013
【図４Ｆ】
0006459974.tif 000014
【図５】
0006459974.tif 000015
【図６】
0006459974.tif 000016
【図７】
0006459974.tif 000017
【図８Ａ】
0006459974.tif 000018
【図８Ｂ】
0006459974.tif 000019
【図８Ｃ】
0006459974.tif 000020
【図９】
0006459974.tif 000021
【図１０】
0006459974.tif 000022
【図１１Ａ】
0006459974.tif 000023
【図１１Ｂ】
0006459974.tif 000024
【図１１Ｃ】
0006459974.tif 000025
【図１１Ｄ】
0006459974.tif 000026
【図１１Ｅ】
0006459974.tif 000027
【図１１Ｆ】
0006459974.tif 000028
【図１２Ａ】
0006459974.tif 000029
【図１２Ｂ】
0006459974.tif 000030
【図１３Ａ】
0006459974.tif 000031
【図１３Ｂ】
0006459974.tif 000032
【図１４】
0006459974.tif 000033
【図１５】
0006459974.tif 000034
【図１６】
0006459974.tif 000035
【図１７】
0006459974.tif 000036